(57)【要約】  複数の装置からデータを送信したいという複数の要求を受信することと、複数の装置における装置のセットへのリソース割振りを判断することであって、判断が複数の要求に基づいて判断することと、データ送信を許可する、前記装置のセットへのリソース割振りを含むメッセージを送信することとを含む、ワイヤレス通信のための方法が開示される。ある装置が、要求に基づいて媒体にアクセスしようとして、複数の他の装置と競合することと、メッセージを受信することであって、メッセージが、装置と他の装置とからの要求に基づくリソース割振りを備え、リソース割振りが、装置と他の装置のいくつかとからのデータ送信を許可し、メッセージに基づいて装置によってデータを送信することとを含む、ワイヤレス通信のための別の方法が開示される。これらの方法を実施するための装置も開示される。
2013511218.tif 000002
【特許請求の範囲】
【請求項１】
複数の装置からデータを送信したいという複数の要求を受信することと、
前記複数の装置における装置のセットへのリソース割振りを判断することであって、前記判断が前記複数の要求に基づいて判断することと、
データ送信を許可する、前記装置のセットへの前記リソース割振りを含むメッセージを送信することと、
を備える、ワイヤレス通信のための方法。
【請求項２】
前記メッセージは、マルチキャストメッセージ、ユニキャストメッセージ、またはブロードキャストメッセージで構成する、請求項１に記載の方法。
【請求項３】
前記複数の要求が第１の要求と第２の要求とを備え、リソース割振りの前記判断は、
前記第１の要求に基づいて前記メッセージを送信する時間を、その時点、または、その後に判断することと、
前記第２の要求に基づいて前記時間を更新することと、を備える、請求項１に記載の方法。
【請求項４】
前記メッセージは、前記第２の要求の肯定応答を含む、請求項３に記載の方法。
【請求項５】
前記メッセージの前記送信は、前記時間に達した後に拡張分散チャネルアクセス（ＥＤＣＡ）競合機構に従って前記メッセージを送信することを備える、請求項４に記載の方法。
【請求項６】
前記メッセージの前記送信は、前記第２の要求の前記受信の後に前記メッセージを送信することを備え、前記第２の要求が、前記時間に達する前に受信される、請求項３に記載の方法。
【請求項７】
前記第１の要求は、前記第２の要求よりも前に受信され、前記メッセージは、前記第２の要求の前記受信の前に送信される、請求項３に記載の方法。
【請求項８】
前記メッセージの前記送信は、前記第２の要求の前記受信に基づいて、および割り振られた空間ストリームの数に基づいて前記メッセージを送信することを備える、請求項３に記載の方法。
【請求項９】
前記メッセージの前記送信は、サポートできるよりも多くの空間ストリームを必要とする要求が受信されると前記メッセージを送信することを備える、請求項１に記載の方法。
【請求項１０】
前記複数の要求の各々は、交替送信で確認される、請求項１に記載の方法。
【請求項１１】
前記複数の要求の各々は、関連するトラフィッククラスの指示を備える、請求項１に記載の方法。
【請求項１２】
リソース割振りの前記判断は、前記装置のセットにおける各装置に空間ストリームの数を割り振ることを備え、前記割り振られた空間ストリームの数が、関連するプロトコルの一部として判断される、請求項１に記載の方法。
【請求項１３】
前記リソース割振りは、前記装置のセットにおける各装置の電力レベル調整を備える、請求項１に記載の方法。
【請求項１４】
前記電力レベル調整は、前記装置のセットにおける各装置からの測定電力レベルに基づく、請求項１３に記載の方法。
【請求項１５】
前記複数の要求における各要求は、要求された送信持続時間を備え、前記リソース割振りは、複数の要求された送信持続時間に基づく送信持続時間を備える、請求項１に記載の方法。
【請求項１６】
前記複数の要求は、媒体アクセス競合プロセスの一部として受信される、請求項１に記載の方法。
【請求項１７】
前記媒体アクセス競合プロセスは、ＥＤＣＡベースアクセス競合を備える、請求項１６に記載の方法。
【請求項１８】
前記メッセージは、データ送信を許可するため、前記装置のセットにおいて少なくとも１つの装置の確認を含む、請求項１に記載の方法。
【請求項１９】
前記メッセージは、送信動作を実施するため、前記装置のセットにおいて前記少なくとも１つの装置の媒体予約を含む、請求項１に記載の方法。
【請求項２０】
前記メッセージは、前記複数の要求の各々において搬送される要求された送信持続時間に基づいて判断される最大送信持続時間を含む、請求項１に記載の方法。
【請求項２１】
前記最大送信持続時間は、前記複数の要求において前記要求された送信持続時間の最大値に基づいてさらに判断される、請求項２０に記載の方法。
【請求項２２】
利用可能な通信リソースまたはＱｏＳ要件のうちの少なくとも１つに基づいて前記装置のセット中の前記装置を選定すること、をさらに備える、請求項１に記載の方法。
【請求項２３】
前記複数の要求の受信順序に基づいて前記装置のセット中の前記装置を選定すること、をさらに備える、請求項１に記載の方法。
【請求項２４】
代替シグナリング方式を使用して通信される情報に基づいて前記装置のセット中の前記装置を選定することをさらに備える、請求項１に記載の方法。
【請求項２５】
前記代替シグナリング方式は、前記装置のセットのうちの少なくとも１つからの前に受信された代替シグナリングメッセージを備える、請求項２４に記載の方法。
【請求項２６】
前記代替シグナリングメッセージは、前記装置の関連付け、トラフィックストリームの開始の指示、または前記トラフィックストリームの必要とされるデータレートの指示のうちの少なくとも１つを備える、請求項２４に記載の方法。
【請求項２７】
ランダムまたはラウンドロビン方式のうちの少なくとも１つに基づいて装置の前記セット中の前記装置を選定すること、をさらに備える、請求項１に記載の方法。
【請求項２８】
トラフィッククラスに基づいて前記装置のセット中の前記装置を選定すること、をさらに備える、請求項１に記載の方法。
【請求項２９】
選定された装置の前記トラフィッククラスは、前の要求中のクラス以上である、請求項２８に記載の方法。
【請求項３０】
前記メッセージは、
ＭＣＳ値、
空間ストリームの数、
１つまたは複数の空間ストリームインデックス、
電力レベル調整、あるいは、
データクラス、
のうちの少なくとも１つを備える、前記複数の装置の各々のための複数のパラメータを備える、請求項１に記載の方法。
【請求項３１】
前記ＭＣＳ値は、前記複数の要求における前記要求のうちの少なくとも１つに基づく、請求項３０に記載の方法。
【請求項３２】
前記複数の要求のうちの１つの直後に前記メッセージを送信すること、をさらに備え、前記メッセージは、前記複数の要求のうちの前記１つ中のトラフィッククラス以上のトラフィッククラスを用いて、前記複数の装置中のいくつかの他の装置からの送信を可能にする、請求項１に記載の方法。
【請求項３３】
前記装置のセット中の前記装置のうちの少なくとも２つからのデータ送信を受信することをさらに備え、前記受信されたデータ送信が同時に開始された、請求項１に記載の方法。
【請求項３４】
前記装置のセット中の前記装置のうちの前記少なくとも１つにブロック確認応答メッセージを送信することをさらに備える、請求項１に記載の方法。
【請求項３５】
前記複数の要求における各要求がＭＣＳ値を備える、請求項１に記載の方法。
【請求項３６】
前記複数の要求における各要求が複数の持続時間を備え、前記持続時間の各々が前記リソース割振り内の少なくとも１つのパラメータの異なる可能な値に関連し、前記リソース割振りが、各要求の前記送信持続時間と前記リソース割振り中の少なくとも１つのパラメータの前記値とに基づく送信持続時間許可を備える、請求項１に記載の方法。
【請求項３７】
複数の装置からデータを送信したいという複数の要求を受信することと、
前記複数の装置における装置のセットへのリソース割振りを判断するのであって、前記判断が前記複数の要求に基づいて判断することと、
データ送信を許可する、前記装置のセットへの前記リソース割振りを含むメッセージを送信することと、
を行うように構成された処理システム
を備える、ワイヤレス通信のための装置。
【請求項３８】
前記メッセージは、マルチキャストメッセージ、ユニキャストメッセージ、またはブロードキャストメッセージで構成する、請求項３７に記載の装置。
【請求項３９】
前記複数の要求が第１の要求と第２の要求とを備え、前記処理システムは、
前記第１の要求に基づいて前記メッセージを送信する時間を、その時点、または、その後に判断することと、
前記第２の要求に基づいて前記時間を更新することと、
を行うようにさらに構成された、請求項３７に記載の装置。
【請求項４０】
前記メッセージは、前記第２の要求の肯定応答を含む、請求項３９に記載の装置。
【請求項４１】
前記処理システムは、前記時間に達した後に拡張分散チャネルアクセス（ＥＤＣＡ）競合機構に従って前記メッセージを送信するようにさらに構成された、請求項４０に記載の装置。
【請求項４２】
前記処理システムは、前記第２の要求の前記受信の後に前記メッセージを送信するようにさらに構成され、前記第２の要求が、前記時間に達する前に受信される、請求項３９に記載の装置。
【請求項４３】
前記第１の要求は、前記第２の要求よりも前に受信され、前記メッセージは、前記第２の要求の前記受信の前に送信される、請求項３９に記載の装置。
【請求項４４】
前記処理システムは、前記第２の要求の前記受信に基づいて、および割り振られた空間ストリームの数に基づいて前記メッセージを送信するようにさらに構成された、請求項３９に記載の装置。
【請求項４５】
前記処理システムは、サポートできるよりも多くの空間ストリームを必要とする要求が受信されると前記メッセージを送信するようにさらに構成された、請求項３７に記載の装置。
【請求項４６】
前記複数の要求の各々は、交替送信で確認される、請求項３７に記載の装置。
【請求項４７】
前記複数の要求の各々は、関連するトラフィッククラスの指示を備える、請求項３７に記載の装置。
【請求項４８】
前記処理システムは、前記装置のセットにおける各装置への空間ストリームの数を判断するようにさらに構成され、前記割り振られた空間ストリームの数が、関連するプロトコルの一部として判断される、請求項３７に記載の装置。
【請求項４９】
前記リソース割振りは、前記装置のセットにおける各装置の電力レベル調整を備える、請求項３７に記載の装置。
【請求項５０】
前記電力レベル調整は、前記装置の前記セットにおける各装置からの測定電力レベルに基づく、請求項４９に記載の装置。
【請求項５１】
前記複数の要求における各要求は、要求された送信持続時間を備え、前記リソース割振りは、複数の要求された送信持続時間に基づく送信持続時間を備える、請求項３７に記載の装置。
【請求項５２】
前記複数の要求は、媒体アクセス競合プロセスの一部として受信される、請求項３７に記載の装置。
【請求項５３】
前記媒体アクセス競合プロセスはＥＤＣＡベースアクセス競合を備える、請求項５２に記載の装置。
【請求項５４】
前記メッセージは、データ送信を許可するため、前記装置のセットにおいて少なくとも１つの装置の確認を備える、請求項３７に記載の装置。
【請求項５５】
前記メッセージは、送信動作を実施するため、前記装置のセットのおいて前記少なくとも１つの装置の媒体予約含む、請求項３７に記載の装置。
【請求項５６】
前記メッセージは、前記複数の要求において各々中で搬送される要求された送信持続時間に基づいて判断される最大送信持続時間を含む、請求項３７に記載の装置。
【請求項５７】
前記最大送信持続時間は、前記複数の要求において前記要求された送信持続時間の最大値に基づいてさらに判断される、請求項５６に記載の装置。
【請求項５８】
前記処理システムは、利用可能な通信リソースまたはＱｏＳ要件のうちの少なくとも１つに基づいて装置の前記セット中の前記装置を選定するようにさらに構成された、請求項３７に記載の装置。
【請求項５９】
前記処理システムは、前記複数の要求の受信順序に基づいて前記装置のセット中の前記装置を選定するようにさらに構成された、請求項３７に記載の装置。
【請求項６０】
前記処理システムは、代替シグナリング方式を使用して通信される情報に基づいて前記装置のセット中の前記装置を選定するようにさらに構成された、請求項３７に記載の装置。
【請求項６１】
前記代替シグナリング方式は、前記装置のセットのうちの少なくとも１つからの前に受信された代替シグナリングメッセージを備える、請求項６０に記載の装置。
【請求項６２】
前記代替シグナリングメッセージは、前記装置の関連付け、トラフィックストリームの開始の指示、または前記トラフィックストリームの必要とされるデータレートの指示のうちの少なくとも１つを備える、請求項６１に記載の装置。
【請求項６３】
前記処理システムは、ランダムまたはラウンドロビン方式のうちの少なくとも１つに基づいて前記装置のセット中の前記装置を選定するようにさらに構成された、請求項３７に記載の装置。
【請求項６４】
前記処理システムは、トラフィッククラスに基づいて前記装置のセット中の前記装置を選定するようにさらに構成された、請求項３７に記載の装置。
【請求項６５】
選定された装置の前記トラフィッククラスは、前の要求中のクラス以上である、請求項６４に記載の装置。
【請求項６６】
前記メッセージは、
ＭＣＳ値、
空間ストリームの数、
１つまたは複数の空間ストリームインデックス、
電力レベル調整、あるいは、
データクラス、
のうちの少なくとも１つを含む、前記複数の装置の各々のための複数のパラメータを備える、請求項３７に記載の装置。
【請求項６７】
前記ＭＣＳ値は、前記複数の要求における前記要求のうちの少なくとも１つに基づく、請求項６６に記載の装置。
【請求項６８】
前記処理システムは、前記複数の要求のうちの１つの直後に前記メッセージを送信するようにさらに構成され、前記メッセージは、前記複数の要求のうちの前記１つ中のトラフィッククラス以上のトラフィッククラスを用いて、前記複数の装置中のいくつかの他の装置からの送信を可能にする、請求項３７に記載の装置。
【請求項６９】
前記処理システムは、前記装置のセット中の前記装置のうちの少なくとも２つからのデータ送信を受信するようにさらに構成され、前記受信されたデータ送信が同時に開始された、請求項３７に記載の装置。
【請求項７０】
前記処理システムは、前記装置のセット中の前記装置のうちの前記少なくとも１つにブロック確認応答メッセージを送信するようにさらに構成された、請求項３７に記載の装置。
【請求項７１】
前記複数の要求中の各要求がＭＣＳ値を備える、請求項３７に記載の装置。
【請求項７２】
前記複数の要求における各要求が複数の持続時間を備え、前記持続時間の各々が前記リソース割振り内の少なくとも１つのパラメータの異なる可能な値に関連し、前記リソース割振りは、各要求の前記送信持続時間と前記リソース割振り中の少なくとも１つのパラメータの前記値とに基づく送信持続時間許可を備える、請求項３７に記載の装置。
【請求項７３】
複数の装置からデータを送信したいという複数の要求を受信するための手段と、
前記複数の装置における装置のセットへのリソース割振りを判断するのであって、前記判断が前記複数の要求に基づいて判断するための手段と、
データ送信を許可する、前記装置のセットへの前記リソース割振りを含むメッセージを送信するための手段と、
を備える、ワイヤレス通信のための装置。
【請求項７４】
前記メッセージは、マルチキャストメッセージ、ユニキャストメッセージ、またはブロードキャストメッセージで構成する、請求項７３に記載の装置。
【請求項７５】
前記複数の要求が第１の要求と第２の要求とを備え、リソース割振りの前記判断は、
前記第１の要求に基づいて前記メッセージを送信する時間を、その時点、または、その後に判断するための手段と、
前記第２の要求に基づいて前記時間を更新するための手段と、
を備える、請求項７３に記載の装置。
【請求項７６】
前記メッセージは、前記第２の要求の肯定応答を含む、請求項７５に記載の装置。
【請求項７７】
前記メッセージの前記送信手段は、前記時間に達した後に拡張分散チャネルアクセス（ＥＤＣＡ）競合機構に従って前記メッセージを送信するための手段を備える、請求項７６に記載の装置。
【請求項７８】
前記メッセージの前記送信手段は、前記第２の要求の前記受信の後に前記メッセージを送信するための手段を備え、前記第２の要求が、前記時間に達する前に受信される、請求項７５に記載の装置。
【請求項７９】
前記第１の要求は、前記第２の要求よりも前に受信され、前記メッセージは、前記第２の要求の前記受信の前に送信される、請求項７５に記載の装置。
【請求項８０】
前記メッセージの前記送信手段は、前記第２の要求の前記受信に基づいて、および空間ストリームの割り振られた数に基づいて前記メッセージを送信するための手段を備える、請求項７５に記載の装置。
【請求項８１】
前記メッセージの前記送信手段は、サポートできるよりも多くの空間ストリームを必要とする要求が受信されると前記メッセージを送信するための手段を備える、請求項７３に記載の装置。
【請求項８２】
前記複数の要求の各々は、交替送信で確認される、請求項７３に記載の装置。
【請求項８３】
前記複数の要求の各々は、関連するトラフィッククラスの指示を備える、請求項７３に記載の装置。
【請求項８４】
リソース割振りの前記判断手段は、前記装置の前記セットにおける各装置に空間ストリームの数を割り振るための手段を備え、前記空間ストリームの割り振られた数が関連付けプロトコルの一部として判断される、請求項７３に記載の装置。
【請求項８５】
前記リソース割振りは、前記装置のセットにおける各装置の電力レベル調整を備える、請求項７３に記載の装置。
【請求項８６】
前記電力レベル調整は、前記装置のセットにおける各装置からの測定電力レベルに基づく、請求項８４に記載の装置。
【請求項８７】
前記複数の要求中の各要求は、要求された送信持続時間を備え、前記リソース割振りは、複数の要求された送信持続時間に基づく送信持続時間を備える、請求項７３に記載の装置。
【請求項８８】
前記複数の要求は、媒体アクセス競合プロセスの一部として受信される、請求項７３に記載の装置。
【請求項８９】
前記媒体アクセス競合プロセスは、ＥＤＣＡベースアクセス競合を備える、請求項８８に記載の装置。
【請求項９０】
前記メッセージは、データ送信を許可するため、前記装置のセットにおいて少なくとも１つの装置の確認を備える、請求項７３に記載の装置。
【請求項９１】
前記メッセージは、送信動作を実施するため、前記装置のセットにおいて前記少なくとも１つの装置の媒体予約を含む、請求項７３に記載の装置。
【請求項９２】
前記メッセージは、前記複数の要求の各々中で搬送される要求された送信持続時間に基づいて判断される最大送信持続時間を含む、請求項７３に記載の装置。
【請求項９３】
前記最大送信持続時間は、前記複数の要求中の前記要求された送信持続時間の最大値に基づいてさらに判断される、請求項９２に記載の装置。
【請求項９４】
利用可能な通信リソースまたはＱｏＳ要件のうちの少なくとも１つに基づいて前記装置のセット中の前記装置を選定するための手段をさらに備える、請求項７３に記載の装置。
【請求項９５】
前記複数の要求の受信順序に基づいて前記装置のセット中の前記装置を選定するための手段をさらに備える、請求項７３に記載の装置。
【請求項９６】
代替シグナリング方式を使用して通信される情報に基づいて前記装置のセット中の前記装置を選定するための手段をさらに備える、請求項７３に記載の装置。
【請求項９７】
前記代替シグナリング方式は、前記装置のセットのうちの少なくとも１つからの前に受信された代替シグナリングメッセージを備える、請求項９６に記載の装置。
【請求項９８】
前記代替シグナリングメッセージは、前記装置の関連付け、トラフィックストリームの開始の指示、または前記トラフィックストリームの必要とされるデータレートの指示のうちの少なくとも１つを備える、請求項９６に記載の装置。
【請求項９９】
ランダムまたはラウンドロビン方式のうちの少なくとも１つに基づいて装置の前記セット中の前記装置を選定するための手段をさらに備える、請求項７３に記載の装置。
【請求項１００】
トラフィッククラスに基づいて前記装置のセット中の前記装置を選定するための手段をさらに備える、請求項７３に記載の装置。
【請求項１０１】
選定された装置の前記トラフィッククラスは、前の要求中のクラス以上である、請求項１００に記載の装置。
【請求項１０２】
前記メッセージは、
ＭＣＳ値、
空間ストリームの数、
１つまたは複数の空間ストリームインデックス、
電力レベル調整、あるいは、
データクラス、
のうちの少なくとも１つを含む、前記複数の装置の各々のための複数のパラメータを備える、請求項７３に記載の装置。
【請求項１０３】
前記ＭＣＳ値は、前記複数の要求における前記要求のうちの少なくとも１つに基づく、請求項１０２に記載の装置。
【請求項１０４】
前記複数の要求のうちの１つの直後に前記メッセージを送信するための手段をさらに備え、前記メッセージは、前記複数の要求のうちの前記１つ中のトラフィッククラス以上のトラフィッククラスを用いて、前記複数の装置中のいくつかの他の装置からの送信を可能にする、請求項７３に記載の装置。
【請求項１０５】
前記装置のセット中の前記装置のうちの少なくとも２つからのデータ送信を受信するための手段をさらに備え、前記受信されたデータ送信が同時に開始された、請求項７３に記載の装置。
【請求項１０６】
前記装置のセット中の前記装置のうちの前記少なくとも１つにブロック確認応答メッセージを送信するための手段をさらに備える、請求項７３に記載の装置。
【請求項１０７】
前記複数の要求における各要求がＭＣＳ値を備える、請求項７３に記載の装置。
【請求項１０８】
前記複数の要求における各要求が複数の持続時間を備え、前記持続時間の各々が前記リソース割振り内の少なくとも１つのパラメータの異なる可能な値に関連し、前記リソース割振りが、各要求の前記送信持続時間と前記リソース割振り中の少なくとも１つのパラメータの前記値とに基づく送信持続時間許可を備える、請求項７３に記載の装置。
【請求項１０９】
複数の装置からデータを送信したいという複数の要求を受信することと、
前記複数の装置における装置のセットへのリソース割振りを判断するのであって、前記判断が前記複数の要求に基づいて判断することと、
データ送信を許可する、前記装置のセットへの前記リソース割振りを含むメッセージを送信することと、
を行うように実行可能である命令を備える、機械可読媒体
を備える、ワイヤレス通信のためのコンピュータプログラム製品。
【請求項１１０】
１つまたは複数のアンテナと、
複数の装置からデータを送信したいという複数の要求を、前記１つまたは複数のアンテナを介して受信するように構成された受信機と、
前記複数の装置における装置のセットへのリソース割振りを判断するように構成され、前記判断が前記複数の要求に基づく、プロセッサと、
データ送信を許可する、前記装置のセットへの前記リソース割振りを含むメッセージを送信するように構成された送信機と、
を備える、アクセスポイント。
【請求項１１１】
ある装置が、要求に基づいて媒体にアクセスしようとして、複数の他の装置と競合することと、
メッセージを受信することであって、前記メッセージが前記装置と前記他の装置とからの要求に基づくリソース割振りを備え、前記リソース割振りが前記装置と前記他の装置のいくつかとからのデータ送信を許可し、
前記メッセージに基づいて前記装置によってデータを送信することと、
を備える、ワイヤレス通信のための方法。
【請求項１１２】
前記装置と前記他の装置とからの前記要求のうちの少なくとも２つの送信が重複する、請求項１１１に記載の方法。
【請求項１１３】
前記装置と前記他の装置のうちの少なくとも１つとからのデータの前記送信が実質的に同時に開始する、請求項１１１に記載の方法。
【請求項１１４】
前記競合は、
送信されるべき前記データの特性を判断することと、
前記特性がしきい値を満たす場合、前記媒体へのリソース割振りについての要求を送信することと、
を備える、請求項１１１に記載の方法。
【請求項１１５】
前記特性は、送信されるべき前記データの量である、請求項１１４に記載の方法。
【請求項１１６】
前記特性は、送信されるべき前記データの優先度である、請求項１１４に記載の方法。
【請求項１１７】
前記特性は、送信されるべき前記データの送信持続時間である、請求項１１４に記載の方法。
【請求項１１８】
前記データ送信は、空間ストリーム割振りと前記リソース割振りの空間ストリームインデックスとに基づいて、空間ストリームの数に関するデータを送信することを備える、請求項１１１に記載の方法。
【請求項１１９】
前記データ送信は、前記リソース割振り中に指定されたＭＣＳに基づいてデータを送信することを備える、請求項１１１に記載の方法。
【請求項１２０】
前記データ送信は、前記リソース割振り中の電力レベル調整に基づく電力レベルでデータを送信することを備える、請求項１１１に記載の方法。
【請求項１２１】
前記データ送信は、前記リソース割振り中のデータクラスに基づいて選択されたデータを送信することを備える、請求項１１１に記載の方法。
【請求項１２２】
前記データ送信は、送信されるのを待っているさらなるデータの指示を備え、前記さらなるデータが、現在送信されている前記データ以外のデータを備える、請求項１１１に記載の方法。
【請求項１２３】
前記指示は、データの量、データの持続時間、または前記データの優先度のうちの少なくとも１つを備える、請求項１２２に記載の方法。
【請求項１２４】
前記複数の要求における各要求が送信持続時間を備え、前記リソース割振りが、各要求の前記送信持続時間に基づく送信持続時間を備える、請求項１１１に記載の方法。
【請求項１２５】
前記複数の要求における各要求はそれぞれの電力レベルで送信され、前記リソース割振りは、前記それぞれの送信電力レベルに基づく電力レベル調整を備える、請求項１１１に記載の方法。
【請求項１２６】
前記データ送信は、レート適応アルゴリズムに基づく変調方式を使用してデータを送信することを備える、請求項１１１に記載の方法。
【請求項１２７】
代替通信中で送信されるべきデータの指示を送信することをさらに備える、請求項１１１に記載の方法。
【請求項１２８】
前記代替通信は、前に受信されたメッセージを備える、請求項１２７に記載の方法。
【請求項１２９】
前記指示は、送信のために利用可能なデータがないという指示を備える、請求項１２７に記載の方法。
【請求項１３０】
データの前記送信に基づいてブロック肯定応答を受信すること、をさらに備える、請求項１１１に記載の方法。
【請求項１３１】
前記メッセージは送信持続時間を備え、前記方法は、前記送信持続時間に基づく時間期間の間前記ブロック肯定応答を待つことをさらに備える、請求項１３０に記載の方法。
【請求項１３２】
前記メッセージ中の前記リソース割振りは、
ＭＣＳ値、
空間ストリームの数、
１つまたは複数の空間ストリームインデックス、
電力レベル調整、あるいは、
データクラス、
のうちの少なくとも１つを備え、前記装置と前記他の装置のうちの少なくとも１つとのための複数のパラメータを備える、請求項１１１に記載の方法。
【請求項１３３】
媒体アクセスを求める前記競合は、バックオフプロセスを備える、請求項１１１に記載の方法。
【請求項１３４】
前記要求は第１のデータクラスに関連付けられ、前記方法は、前記メッセージを受信するか、タイムアウトに達するかのうちの少なくとも一方を判断するまで、前記第１のデータクラスのための前記バックオフプロセスを停止することをさらに備え、前記バックオフプロセスが、前記要求に対する肯定応答を受信した後に中断される、請求項１１３に記載の方法。
【請求項１３５】
（ｉ）前記装置が、前記要求に対応する割振りを受信しない限り、（ｉｉ）前記第１のクラスが、周期的な送信を必要とするデータクラスに関連付けられない限り、または（ｉｉｉ）タイムアウトに達しない限り、前記装置は、前記第１のクラスの別の要求を送ることを許可されない、請求項１３４に記載の方法。
【請求項１３６】
前記装置は、前記要求の後に第２の要求を送るのが許可され、前記第２の要求が、前記第２のクラスに関連付けられた競合アルゴリズムに従って第２のクラスに関連付けられる、請求項１３４に記載の方法。
【請求項１３７】
前記装置は、前記受信したメッセージに従ったデータの送信、および前記データに対する前記肯定応答の受信後、第２の要求を送るより前に、新しいバックオフカウントを用いて前記バックオフプロセスを再開する、請求項１３４に記載の方法。
【請求項１３８】
前記新しいバックオフカウントは乱数に基づく、請求項１３７に記載の方法。
【請求項１３９】
前記新しいバックオフカウントはアクセスポイントから受信される、請求項１３７に記載の方法。
【請求項１４０】
非送信請求メッセージを受信することと、
前記バックオフプロセスの満了の前に、前記非送信請求メッセージに従ってデータを送信することと、
をさらに備える、請求項１３３に記載の方法。
【請求項１４１】
前記要求は、第１のクラスに関連付けられ、前記方法は、
前記第１のクラスのための前記バックオフプロセスを中断することと、
前記非送信請求メッセージに従ってデータを送信することと、
をさらに備える、請求項１４０に記載の方法。
【請求項１４２】
前記バックオフプロセスの前記中断は、バックオフカウントを停止することを備え、前記方法は、乱数に基づいて前記バックオフカウントをリセットすることをさらに備える、請求項１４１に記載の方法。
【請求項１４３】
前記バックオフプロセスの前記中断は、バックオフカウントを一時停止することを備え、前記方法は、前記バックオフカウントを再開することをさらに備える、請求項１４１に記載の方法。
【請求項１４４】
前記非送信請求メッセージに従ったデータの送信、および前記データに対する肯定応答の受信後、前記第１のクラスに関連する別の要求を送信するための前記バックオフプロセスを再開すること、をさらに備える、請求項１４１に記載の方法。
【請求項１４５】
ワイヤレス通信のための装置であって、
前記装置が、要求に基づいて媒体にアクセスしようとして、複数の他の装置と競合することと、
メッセージを受信することであって、前記メッセージが、前記装置と前記他の装置とからの要求に基づくリソース割振りを備え、前記リソース割振りが、前記装置と前記他の装置のいくつかとからのデータ送信を許可し、
前記メッセージに基づいて前記装置によってデータを送信することと、
を行うように構成された処理システム、
を備える、ワイヤレス通信のための装置。
【請求項１４６】
前記装置と前記他の装置とからの前記要求のうちの少なくとも２つの送信が重複する、請求項１４５に記載の装置。
【請求項１４７】
前記装置と前記他の装置のうちの少なくとも１つとからのデータの前記送信が実質的に同時に開始する、請求項１４５に記載の装置。
【請求項１４８】
前記処理システムは、
送信されるべき前記データの特性を判断することと、
前記特性がしきい値を満たす場合、前記媒体へのリソース割振りについての要求を送信することと、
を行うようにさらに構成された、請求項１４５に記載の装置。
【請求項１４９】
前記特性は、送信されるべき前記データの量である、請求項１４８に記載の装置。
【請求項１５０】
前記特性は、送信されるべき前記データの優先度である、請求項１４８に記載の装置。
【請求項１５１】
前記特性は、送信されるべき前記データの送信持続時間である、請求項１４８に記載の装置。
【請求項１５２】
前記処理システムは、空間ストリーム割振りと前記リソース割振りの空間ストリームインデックスとに基づいて、空間ストリームの数に関するデータを送信するようにさらに構成された、請求項１４５に記載の装置。
【請求項１５３】
前記処理システムは、前記リソース割振り中に指定されたＭＣＳに基づいてデータを送信するようにさらに構成された、請求項１４５に記載の装置。
【請求項１５４】
前記処理システムは、前記リソース割振り中の電力レベル調整に基づく電力レベルでデータを送信するようにさらに構成された、請求項１４５に記載の装置。
【請求項１５５】
前記処理システムは、前記リソース割振り中のデータクラスに基づいて選択されたデータを送信するようにさらに構成された、請求項１４５に記載の装置。
【請求項１５６】
前記データ送信は、送信されるのを待っているさらなるデータの指示を有し、前記さらなるデータは、現在送信されている前記データ以外のデータを備える、請求項１４５に記載の装置。
【請求項１５７】
前記指示は、データの量、データの持続時間、または前記データの優先度のうちの少なくとも１つを備える、請求項１５６に記載の装置。
【請求項１５８】
前記複数の要求中の各要求は送信持続時間を備え、前記リソース割振りは、各要求の前記送信持続時間に基づく送信持続時間を備える、請求項１４５に記載の装置。
【請求項１５９】
前記複数の要求中の各要求はそれぞれの電力レベルで送信され、前記リソース割振りは、前記それぞれの送信電力レベルに基づく電力レベル調整を備える、請求項１４５に記載の装置。
【請求項１６０】
前記データ送信は、レート適応アルゴリズムに基づく変調方式を使用してデータを送信することを備える、請求項１４５に記載の装置。
【請求項１６１】
前記処理システムは、代替通信中で送信されるべきデータの指示を送信するようにさらに構成された、請求項１４５に記載の装置。
【請求項１６２】
前記代替通信は、前に受信されたメッセージを備える、請求項１６１に記載の装置。
【請求項１６３】
前記指示は、送信のために利用可能なデータがないという指示を備える、請求項１６１に記載の装置。
【請求項１６４】
前記処理システムは、データの前記送信に基づいてブロック肯定応答を受信するようにさらに構成された、請求項１４５に記載の装置。
【請求項１６５】
前記メッセージは送信持続時間を備え、前記処理システムは、前記送信持続時間に基づく時間期間の間前記ブロック肯定応答を待つようにさらに構成された、請求項１６４に記載の装置。
【請求項１６６】
前記メッセージ中の前記リソース割振りは、
ＭＣＳ値、
空間ストリームの数、
１つまたは複数の空間ストリームインデックス、
電力レベル調整、あるいは、
データクラス、
のうちの少なくとも１つを備え、前記装置と前記他の装置のうちの少なくとも１つとのための複数のパラメータを備える、請求項１４５に記載の装置。
【請求項１６７】
媒体アクセスを求める前記競合は、バックオフプロセスを備える、請求項１４５に記載の装置。
【請求項１６８】
前記要求は第１のデータクラスに関連付けられ、前記処理システムは、前記メッセージを受信するか、タイムアウトに達するかのうちの少なくとも一方を判断するまで、前記第１のデータクラスのための前記バックオフプロセスを停止するようにさらに構成され、前記バックオフプロセスが、前記要求に対する肯定応答を受信した後に停止される、請求項１６６に記載の装置。
【請求項１６９】
（ｉ）前記装置が、前記要求に対応する割振りを受信しない限り、（ｉｉ）前記第１のクラスが、周期的な送信を必要とするデータクラスに関連付けられない限り、または（ｉｉｉ）タイムアウトに達しない限り、前記装置は、前記第１のクラスの別の要求を送ることを許可されない、請求項１６８に記載の装置。
【請求項１７０】
前記装置は、前記要求の後に第２の要求を送るのを許可され、前記第２の要求は、前記第２のクラスに関連付けられた競合アルゴリズムに従って第２のクラスに関連付けられる、請求項１６８に記載の装置。
【請求項１７１】
前記装置は、前記受信したメッセージに従ったデータの送信、および前記データに対する前記肯定応答の受信後、第２の要求を送るより前に、新しいバックオフカウントを用いて前記バックオフプロセスを再開する、請求項１６９に記載の装置。
【請求項１７２】
前記新しいバックオフカウントは乱数に基づく、請求項１７１に記載の装置。
【請求項１７３】
メッセージは前記新しいバックオフカウントを備える、請求項１７１に記載の装置。
【請求項１７４】
前記処理システムは、
非送信請求メッセージを受信することと、
前記バックオフプロセスの満了の前に、前記非送信請求メッセージに従ってデータを送信することと、
を行うようにさらに構成された、請求項１６６に記載の装置。
【請求項１７５】
前記要求は第１のクラスに関連付けられ、前記処理システムは、
前記第１のクラスのための前記バックオフプロセスを中断することと、
前記非送信請求メッセージに従ってデータを送信することと、
を行うようにさらに構成された、請求項１７４に記載の装置。
【請求項１７６】
前記バックオフプロセスの前記中断は、バックオフカウントを停止することを備え、前記処理システムは、乱数に基づいて前記バックオフカウントをリセットするようにさらに構成された、請求項１７５に記載の装置。
【請求項１７７】
前記バックオフプロセスの前記中断は、バックオフカウントを一時停止することを備え、前記処理システムは、前記バックオフカウントを再開するようにさらに構成された、請求項１７５に記載の装置。
【請求項１７８】
前記処理システムは、前記非送信請求メッセージに従ったデータの送信、および前記データに対する肯定応答の受信後、前記第１のクラスに関連する別の要求を送信するための前記バックオフプロセスを再開するようにさらに構成された、請求項１７５に記載の装置。
【請求項１７９】
ある装置が、要求に基づいて媒体にアクセスしようとして、複数の他の装置と競合するための手段と、
メッセージを受信するための手段であって、前記メッセージが、前記装置と前記他の装置とからの要求に基づくリソース割振りを備え、前記リソース割振りが、前記装置と前記他の装置のいくつかとからのデータ送信を許可し、
前記メッセージに基づいて前記装置によってデータを送信するための手段と、
を備える、ワイヤレス通信のための装置。
【請求項１８０】
前記装置と前記他の装置とからの前記要求のうちの少なくとも２つの送信が重複する、請求項１７９に記載の装置。
【請求項１８１】
前記装置と前記他の装置のうちの少なくとも１つとからのデータの前記送信が実質的に同時に開始する、請求項１７９に記載の装置。
【請求項１８２】
前記競合手段は、
送信されるべき前記データの特性を判断するための手段と、
前記特性がしきい値を満たす場合、前記媒体へのリソース割振りについての要求を送信するための手段と、を備える、請求項１７９に記載の装置。
【請求項１８３】
前記特性は、送信されるべき前記データの量である、請求項１８２に記載の装置。
【請求項１８４】
前記特性は、送信されるべき前記データの優先度である、請求項１８２に記載の装置。
【請求項１８５】
前記特性は、送信されるべき前記データの送信持続時間である、請求項１８２に記載の装置。
【請求項１８６】
前記データ送信手段は、空間ストリーム割振りと前記リソース割振りの空間ストリームインデックスとに基づいて、空間ストリームの数に関するデータを送信するための手段を備える、請求項１７９に記載の装置。
【請求項１８７】
前記データ送信手段は、前記リソース割振り中に指定されたＭＣＳに基づいてデータを送信するための手段を備える、請求項１７９に記載の装置。
【請求項１８８】
前記データ送信手段は、前記リソース割振り中の電力レベル調整に基づく電力レベルでデータを送信するための手段を備える、請求項１７９に記載の装置。
【請求項１８９】
前記データ送信手段は、前記リソース割振り中のデータクラスに基づいて選択されたデータを送信するための手段を備える、請求項１７９に記載の装置。
【請求項１９０】
前記データ送信は、送信されるのを待っているさらなるデータの指示を備え、前記さらなるデータが、現在送信されている前記データ以外のデータを備える、請求項１７９に記載の装置。
【請求項１９１】
前記指示は、データの量、データの持続時間、または前記データの優先度のうちの少なくとも１つを備える、請求項１９０に記載の装置。
【請求項１９２】
前記複数の要求中の各要求は送信持続時間を備え、前記リソース割振りは、各要求の前記送信持続時間に基づく送信持続時間を備える、請求項１７９に記載の装置。
【請求項１９３】
前記複数の要求中の各要求はそれぞれの電力レベルで送信され、前記リソース割振りは、前記それぞれの送信電力レベルに基づく電力レベル調整を備える、請求項１７９に記載の装置。
【請求項１９４】
前記データ送信手段は、レート適応アルゴリズムに基づく変調方式を使用してデータを送信するための手段を備える、請求項１７９に記載の装置。
【請求項１９５】
代替通信中で送信されるべきデータの指示を送信するための手段をさらに備える、請求項１７９に記載の装置。
【請求項１９６】
前記代替通信は、前に受信されたメッセージを備える、請求項１９５に記載の装置。
【請求項１９７】
前記指示は、送信のために利用可能なデータがないという指示を備える、請求項１９５に記載の装置。
【請求項１９８】
データの前記送信に基づいてブロック肯定応答を受信するための手段をさらに備える、請求項１７９に記載の装置。
【請求項１９９】
前記メッセージは送信持続時間を備え、前記送信持続時間に基づく時間期間の間前記ブロック肯定応答を待つための手段をさらに備える、請求項１９８に記載の装置。
【請求項２００】
前記メッセージ中の前記リソース割振りは、
ＭＣＳ値、
空間ストリームの数、
１つまたは複数の空間ストリームインデックス、
電力レベル調整、あるいは、
データクラス、
のうちの少なくとも１つを備え、前記装置と前記他の装置のうちの少なくとも１つとのための複数のパラメータを備える、請求項１７９に記載の装置。
【請求項２０１】
媒体アクセスを求める前記競合はバックオフプロセスを備える、請求項１７９に記載の装置。
【請求項２０２】
前記要求は第１のデータクラスに関連付けられ、前記メッセージを受信するか、タイムアウトに達するかのうちの少なくとも一方を判断するまで、前記第１のデータクラスのための前記バックオフプロセスを停止するための手段をさらに備え、前記バックオフプロセスが、前記要求に対する肯定応答を受信した後に中断される、請求項２０１に記載の装置。
【請求項２０３】
（ｉ）前記装置が、前記要求に対応する割振りを受信しない限り、（ｉｉ）前記第１のクラスが、周期的な送信を必要とするデータクラスに関連付けられない限り、または（ｉｉｉ）タイムアウトに達しない限り、前記装置は、前記第１のクラスの別の要求を送ることを許可されない、請求項２０２に記載の装置。
【請求項２０４】
前記装置は、前記要求の後に第２の要求を送るのを許可され、前記第２の要求は、前記第２のクラスに関連付けられた競合アルゴリズムに従って第２のクラスに関連付けられる、請求項２０２に記載の装置。
【請求項２０５】
前記装置は、前記受信したメッセージに従ったデータの送信、および前記データに対する前記肯定応答の受信後、第２の要求を送るより前に、新しいバックオフカウントを用いて前記バックオフプロセスを再開する、請求項２０２に記載の装置。
【請求項２０６】
前記新しいバックオフカウントは乱数に基づく、請求項２０５に記載の装置。
【請求項２０７】
前記新しいバックオフカウントはアクセスポイントから受信される、請求項２０５に記載の装置。
【請求項２０８】
非送信請求メッセージを受信するための手段と、
前記バックオフプロセスの満了の前に、前記非送信請求メッセージに従ってデータを送信するための手段と
をさらに備える、請求項２０１に記載の装置。
【請求項２０９】
前記要求は第１のクラスに関連付けられ、前記方法は、
前記第１のクラスのための前記バックオフプロセスを中断するための手段と、
前記非送信請求メッセージに従ってデータを送信するための手段と
をさらに備える、請求項２０８に記載の装置。
【請求項２１０】
前記バックオフプロセスの前記中断手段は、バックオフカウントを停止するための手段を備え、乱数に基づいて前記バックオフカウントをリセットするための手段をさらに備える、請求項２０９に記載の装置。
【請求項２１１】
前記バックオフプロセスの前記中断手段は、バックオフカウントを一時停止するための手段を備え、前記バックオフカウントを再開するための手段をさらに備える、請求項２０９に記載の装置。
【請求項２１２】
前記非送信請求メッセージに従ったデータの送信、および前記データに対する肯定応答の受信後、前記第１のクラスに関連する別の要求を送信するために、前記バックオフプロセスを再開するための手段をさらに備える、請求項２０９に記載の装置。
【請求項２１３】
ある装置が、要求に基づいて媒体にアクセスしようとして、複数の他の装置と競合することと、
メッセージを受信することであって、前記メッセージが、前記装置と前記他の装置とからの要求に基づくリソース割振りを備え、前記リソース割振りが、前記装置と前記他の装置のいくつかとからのデータ送信を許可し、
前記メッセージに基づいて前記装置によってデータを送信することと、
を行うように実行可能である命令を備える、機械可読媒体
を備える、ワイヤレス通信のためのコンピュータプログラム製品。
【請求項２１４】
アンテナと、
ある装置が、要求に基づいて媒体にアクセスしようとして、複数の他の装置と競合するように構成された、前記アンテナに結合されたプロセッサと、
メッセージを受信するように構成され、前記メッセージが、前記装置と前記他の装置とからの要求に基づくリソース割振りを備え、前記リソース割振りが、前記装置と前記他の装置のいくつかとからのデータ送信を許可する、受信機と、
前記メッセージに基づいて前記装置によってデータを送信するように構成された送信機と、
を備える、局。
【発明の詳細な説明】
【技術分野】
【０００１】
以下の説明は、広く通信システムに関し、より詳細には、マルチユーザ通信方式でクライアント主導型送信を管理するための方法および装置に関する。
【０００２】
関連出願の相互参照
米国特許法第１１９条に基づく優先権の主張
本特許出願は、本出願の譲受人に譲渡され、参照により明確に本明細書に組み込まれる、２００９年１１月１４日に出願された「Method and Apparatus for Managing Client Initiated Uplink Transmissions in Multiple-User Communication Schemes」と題する仮出願第６１／２６１，３２５号の優先権を主張する。
【背景技術】
【０００３】
ワイヤレス通信システムに必要とされる帯域幅要求の増加問題に対処するために、高いデータスループットを達成しながら、複数のユーザ端末がチャネルリソースを共有することによって単一のアクセスポイントと通信することを可能にするために、様々な方式が開発されている。多入力または多出力（ＭＩＭＯ）技術は、次世代通信システムのための一般的な技法として最近現れた１つのそのような手法を表す。ＭＩＭＯ技術は、米国電気技術者協会（ＩＥＥＥ）８０２．１１規格など、いくつかの新生のワイヤレス通信規格において採用されている。ＩＥＥＥ８０２．１１は、（たとえば、数十メートルから数百メートルの）短距離通信用にＩＥＥＥ８０２．１１委員会によって開発されたワイヤレスローカルエリアネットワーク（ＷＬＡＮ）エアインターフェース規格のセットを示している。
【０００４】
ワイヤレス通信システムでは、媒体アクセス（ＭＡＣ）プロトコルは、エアリンク媒体によって提供されるいくつかの自由次元（dimension of freedom）を利用するように動作するように設計される。最も一般的に利用される自由次元は時間および周波数である。たとえば、ＩＥＥＥ８０２．１１ＭＡＣプロトコルにおいて、「時間」自由次元はＣＳＭＡ（キャリア検知多重アクセス）を介して利用される。ＣＳＭＡプロトコルは、潜在的な高い干渉の期間中に２つ以上の送信が行われないことを保証しようと試みる。同様に、「周波数」自由次元は、異なる周波数チャネルを使用することによって利用され得る。
【０００５】
最近の開発により、次元としての空間は、既存の容量を増加させるかまたは既存の容量を少なくともより効率的に使用するために使用すべき実行可能なオプションになった。空間分割多元接続（ＳＤＭＡ）は、同時送信および受信のために複数の端末をスケジューリングすることによってエアリンクの利用を改善するために使用され得る。データは、空間ストリームを使用して端末の各々に送信される。たとえば、ＳＤＭＡを用いて、送信機は個々の受信機への直交ストリームを形成する。送信機がいくつかのアンテナと、いくつかの経路からなる送信／受信チャネルとを有するので、そのような直交ストリームが形成され得る。受信機も、１つまたは複数のアンテナを有し得る（ＭＩＭＯ、ＳＩＭＯ）。この例では、送信機がアクセスポイント（ＡＰ）であり、受信機が局（ＳＴＡ）であると仮定される。ストリームは、たとえば、ＳＴＡ−Ｂにターゲッティングされたストリームが、ＳＴＡ−Ｃ、ＳＴＡ−Ｄ、．．．、などにおける低電力干渉と見なされ、これが、有意な干渉を引き起こさず、ほとんど無視されるように形成される。これらの直交ストリームを形成するために、ＡＰは、受信ＳＴＡの各々からのチャネル状態情報（ＣＳＩ）を有する必要がある。ＣＳＩは、いくつかの方法で測定されたり、通信されたりできるが、それにより複雑さが増し、ＣＳＩの使用がＳＤＭＡストリームの構成を最適化するようになる。
【０００６】
ＭＩＭＯがマルチユーザ（ＭＵ）システムに適用されると、さらなる複雑さが生じる。たとえば、一般に、ＡＰはアップリンク（ＵＬ）通信プロセスを制御する。しかしながら、いくつかの構成において、アップリンクスケジューリング手法は、依然として、ＳＴＡがチャネルアクセスを求めてＡＰと競合することを必要とする。言い換えれば、ＡＰは、伝送媒体にアクセスしようと試みる追加のＳＴＡとして働くことになり、それにより、アクセスしようと試みるすべてのＳＴＡに影響を及ぼす。さらに、ＳＴＡが将来のＵＬ送信のスケジューリングについてＡＰに依拠するので、スケジューリング方式は、バースト性データトラフィックなどのいくつかのタイプのデータトラフィックでは必ずしもうまく動作しない。
【０００７】
したがって、上記の欠点のうちの１つまたは複数に対処することが望ましいであろう。
【発明の概要】
【０００８】
以下で、１つまたは複数の態様の基本的理解を与えるために、マルチユーザ通信方式でクライアント主導型送信を管理するための方法および装置と方法及び装置のそのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００９】
様々な態様によれば、本発明は、ワイヤレス通信を提供する装置および方法に関し、ワイヤレス通信のための方法は、複数の装置からデータを送信したいという複数の要求を受信することと、複数の装置中の装置のセットのためのリソース割振りを判断することであって、判断が複数の要求に基づく、判断することと、データ送信を許可するために、リソース割振りを備えるメッセージを装置のセットに送信することとを含む。
【００１０】
別の態様では、複数の装置からデータを送信したいという複数の要求を受信することと、複数の装置中の装置のセットのためのリソース割振りを判断することであって、判断が複数の要求に基づく、判断することと、データ送信を許可するために、リソース割振りを備えるメッセージを装置のセットに送信することとを行うように構成された処理システムを含むワイヤレス通信のための装置が提供される。
【００１１】
さらに別の態様では、別の態様では、複数の装置からデータを送信したいという複数の要求を受信するための手段と、複数の装置中の装置のセットのためのリソース割振りを判断するための手段であって、判断が複数の要求に基づく、判断するための手段と、データ送信を許可するために、リソース割振りを備えるメッセージを装置のセットに送信するための手段とを含むワイヤレス通信のための装置が提供される。
【００１２】
さらに別の態様では、複数の装置からデータを送信したいという複数の要求を受信することと、複数の装置中の装置のセットのためのリソース割振りを判断することであって、判断が複数の要求に基づく、判断することと、データ送信を許可するために、リソース割振りを備えるメッセージを装置のセットに送信することとを行うように実行可能である命令を含む機械可読媒体を含むワイヤレス通信のためのコンピュータプログラム製品が提供される。
【００１３】
さらに別の態様では、１つまたは複数のアンテナと、複数の装置からデータを送信したいという複数の要求を、１つまたは複数のアンテナを介して受信するように構成された受信機と、複数の装置中の装置のセットのためのリソース割振りを判断するように構成されたプロセッサであって、判断が複数の要求に基づく、プロセッサと、送信機がデータ送信を許可するために、リソース割振りを備えるメッセージを装置のセットに送信するとを含むアクセスポイントが提供される。
【００１４】
さらに別の態様では、ある装置が、要求に基づいて媒体にアクセスしようとして、複数の他の装置と競合することと、メッセージを受信することであって、メッセージが、装置と他の装置とからの要求に基づくリソース割振りを備え、リソース割振りが、装置と他の装置のいくつかとからのデータ送信を許可する、受信することと、メッセージに基づいて装置によってデータを送信することとを含むワイヤレス通信のための方法が提供される。
【００１５】
さらに別の態様では、ある装置が、要求に基づいて媒体にアクセスしようとして、複数の他の装置と競合することと、メッセージを受信することであって、メッセージが、装置と他の装置とからの要求に基づくリソース割振りを備え、リソース割振りが、装置と他の装置のいくつかとからのデータ送信を許可する、受信することと、メッセージに基づいて装置によってデータを送信することとを行うように構成された処理システムを含むワイヤレス通信のための装置が提供される。
【００１６】
さらに別の態様では、ある装置が、要求に基づいて媒体にアクセスしようとして、複数の他の装置と競合するための手段と、メッセージを受信するための手段であって、メッセージが、装置と他の装置とからの要求に基づくリソース割振りを備え、リソース割振りが、装置と他の装置のいくつかとからのデータ送信を許可する、受信するための手段と、メッセージに基づいて装置によってデータを送信するための手段とを含むワイヤレス通信のための装置が提供される。
【００１７】
さらに別の態様では、ある装置が、要求に基づいて媒体にアクセスしようとして、複数の他の装置と競合することと、メッセージを受信することであって、メッセージが、装置と他の装置とからの要求に基づくリソース割振りを備え、リソース割振りが、装置と他の装置のいくつかとからのデータ送信を許可する、受信することと、メッセージに基づいて装置によってデータを送信することとを行うように実行可能である命令を含む機械可読媒体を含むワイヤレス通信のためのコンピュータプログラム製品が提供される。
【００１８】
さらに別の態様では、アンテナと、ある装置が、要求に基づいて媒体にアクセスしようとして、複数の他の装置と競合するように構成された、アンテナに結合されたプロセッサと、メッセージを受信するように構成された受信機であって、メッセージが、装置と他の装置とからの要求に基づくリソース割振りを備え、リソース割振りが、装置と他の装置のいくつかとからのデータ送信を許可する、受信機と、メッセージに基づいて装置によってデータを送信するように構成された送信機とを含む局が提供される。
【００１９】
上記および関連する目的を達成するために、１つまたは複数の態様は、以下で十分に説明し、特に特許請求の範囲で指摘する特徴を備える。以下の説明および添付の図面に１つまたは複数の態様のうちのいくつかの例示的な態様を詳細に記載する。ただし、これらの態様は、様々な態様の原理が採用され得る様々な方法のほんのいくつかを示すものであり、説明する態様は、すべてのそのような態様およびそれらの均等物を含むものとする。
【００２０】
本発明のこれらおよび他の例示的な態様について、以下の発明を実施するための形態および添付の図面において説明する。
【図面の簡単な説明】
【００２１】
【図１】本開示の一態様に従って構成されたワイヤレス通信ネットワークの図。
【図２】図１のワイヤレス通信ネットワーク中の、ワイヤレスノード中のフロントエンド処理システムを含むワイヤレスノードの図。
【図３】処理システムを含む装置のブロック図。
【図４】従来のアクセスポイント（ＡＰ）主導型ＵＬ  ＳＤＭＡフレームのシーケンスの動作を示すブロック図。
【図５】ＡＰ遅延応答手法を用いて、本開示の一態様に従って構成された局（ＳＴＡ）／クライアント主導型ＵＬ  ＳＤＭＡ方式の動作を示す流れ図。
【図６】ＡＰ即時応答手法を用いて、本開示の一態様に従って構成された局（ＳＴＡ）／クライアント主導型ＵＬ  ＳＤＭＡ方式の動作を示すタイミング図。
【図７】ＡＰ遅延応答手法を用いて、本開示の一態様に従って構成された局（ＳＴＡ）／クライアント主導型ＵＬ  ＳＤＭＡ方式の動作を示すタイミング図。
【図８】本開示の一態様に従って、複数のＳＴＡを用いてクライアント主導型ＵＬ方式を実装するためのアクセスポイント装置の機能を示すブロック図。
【図９】本開示の一態様に従って、複数のＳＴＡに対してクライアント主導型ＵＬ方式を実装するためのＳＴＡ装置の機能を示すブロック図。
【００２２】
慣例により、図面のいくつかは、わかりやすいように簡略化されることがある。したがって、図面は、所与の装置（たとえば、デバイス）または方法の構成要素のすべてを示しているわけではない。最後に、明細書および図の全体にわたって同じ特徴を示すために同じ参照番号が使用されることがある。
【発明を実施するための形態】
【００２３】
添付の図面を参照しながら方法および装置の様々な態様は以下でより十分に説明される。ただし、これらの方法および装置は、多くの異なる形態で実施され得るものであり、本開示全体にわたって提示する任意の特定の構造または機能に限定されるものと解釈すべきではない。むしろ、これらの態様は、本開示が周到で完全になり、これらの方法および装置の範囲を当業者に十分に伝えるために与えるものである。本明細書の説明および教示に基づいて、本開示の範囲は、本開示の他の態様とは無関係に実装されるにせよ、本開示の他の態様と組み合わせて実装されるにせよ、本明細書で開示する方法および装置のいかなる態様をもカバーするものであることを、当業者なら諒解されたい。たとえば、本明細書に記載の態様をいくつ使用しても、装置を実現し、または方法を実施し得る。さらに、本開示の範囲は、本明細書に記載の本開示の様々な態様に加えてまたはそれらの態様以外に、他の構造、機能、または構造および機能を使用して実施されるそのような装置またはそのような方法をカバーするものとする。本明細書の開示の任意の態様が請求項の１つまたは複数の要素によって実施され得ることを理解されたい。
【００２４】
次に、図１を参照しながら、ワイヤレスネットワークのいくつかの態様を提示する。ワイヤレスネットワーク１００は、アクセスポイント１１０および複数のアクセス端末または局（ＳＴＡ）１２０として概略的に示される、いくつかのワイヤレスノードとともに示されている。各ワイヤレスノードは、受信および／または送信することが可能である。以下の発明を実施するための形態では、ダウンリンク通信では、「アクセスポイント」という用語は送信ノードを示すために使用され、「アクセス端末」という用語は受信ノードを示すために使用されるが、アップリンク通信では、「アクセスポイント」という用語は受信ノードを示すために使用され、「アクセス端末」という用語は送信ノードを示すために使用される。しかしながら、アクセスポイントおよび／またはアクセス端末のために他の用語または名称が使用され得ることを、当業者なら容易に理解されよう。例として、アクセスポイントは、基地局、送受信基地局、局、端末、ノード、ワイヤレスノード、アクセスポイントとして働くアクセス端末、または何らかの他の好適な用語で呼ばれることがある。アクセス端末は、ユーザ端末、移動局、加入者局、局、ワイヤレスデバイス、端末、ノード、ワイヤレスノードまたは何らかの他の好適な用語で呼ばれることがある。本開示全体にわたって説明する様々な概念は、ワイヤレスノードの固有の名称にかかわらず、すべての好適なワイヤレスノードに当てはまるものである。
【００２５】
ワイヤレスネットワーク１００は、アクセス端末１２０のためのカバレージを提供するために、地理的領域全体にわたって分散される任意の数のアクセスポイントをサポートし得る。システムコントローラ１３０は、アクセスポイントの調整および制御を行うために、ならびにアクセス端末１２０に他のネットワーク（たとえば、インターネット）へのアクセスを与えるために使用され得る。簡単のために、１つのアクセスポイント１１０を示してある。アクセスポイントは、一般に、カバレージの地理的領域中のアクセス端末にバックホールサービスを提供する固定端末である。しかしながら、アクセスポイントは、いくつかの適用例ではモバイルであり得る。固定またはモバイルであり得るアクセス端末は、アクセスポイントのバックホールサービスを利用するか、または他のアクセス端末とのピアツーピア通信に関与する。アクセス端末の例は、電話（たとえば、セルラー電話）、ラップトップコンピュータ、デスクトップコンピュータ、携帯情報端末（ＰＤＡ）、デジタルオーディオプレーヤ（たとえば、ＭＰ３プレーヤ）、カメラ、ゲーム機、または他の好適なワイヤレスノードを含む。
【００２６】
ワイヤレスネットワーク１００はＭＩＭＯ技術をサポートしても良い。ＭＩＭＯ技術を使用すると、アクセスポイント１１０は、空間分割多元接続（ＳＤＭＡ：Spatial Division Multiple Access）を使用して同時に複数のアクセス端末１２０と通信できる。ＳＤＭＡは、異なる受信機に同時に送信される複数のストリームが、同じ周波数チャネルを共有し、その結果、より高いユーザ容量を提供することを可能にする、多元接続方式である。これは、各データストリームを空間的にプリコードし、次いで、空間的にプリコードされた各ストリームを、ダウンリンク上で異なる送信アンテナを通して送信することによって達成される。空間的にプリコードされたデータストリームは、異なる空間シグナチャとともにアクセス端末に到着し、これにより、各アクセス端末１２０は、そのアクセス端末１２０に宛てられたデータストリームを復元することが可能になる。アップリンク上で、各アクセス端末１２０は、空間的にプリコードされたデータストリームを送信し、これにより、アクセスポイント１１０は、空間的にプリコードされた各データストリームのソースを識別することが可能になる。本明細書では「プリコードする」という用語を使用するが、概して、データストリームのプリコード、符号化、復号および／またはポストコーディングするプロセスを包含するために「コーディングする」という用語も使用され得ることに留意されたい。
【００２７】
１つまたは複数のアクセス端末１２０は、特定の機能を可能にするために複数のアンテナを装備し得る。この構成では、たとえば、アクセスポイント１１０にある複数のアンテナを使用して複数アンテナアクセスポイントと通信して、追加の帯域幅または送信電力なしにデータスループットを改善できる。これは、送信機における高データレート信号を、異なる空間シグナチャをもつ複数の低レートデータストリームに分割し、それによって、受信機がこれらのストリームを複数のチャネルに分離し、ストリームを適切に組み合わせて高レートデータ信号を復元することを可能にすることによって達成され得る。
【００２８】
以下の開示部分では、ＭＩＭＯ技術を同じくサポートするアクセス端末について説明するが、アクセスポイント１１０は、ＭＩＭＯ技術をサポートしないアクセス端末をもサポートするように構成されても良い。この手法は、より新しいＭＩＭＯアクセス端末が適宜に導入されることを可能にしながら、より古いバージョンのアクセス端末（すなわち、「レガシー」端末）がワイヤレスネットワークに配備されたままであることを可能にし、それらの有効寿命を延長し得る。
【００２９】
以下の発明を実施するための形態では、本開示の様々な態様について、直交周波数分割多重（ＯＦＤＭ）など、任意の好適なワイヤレス技術をサポートするＭＩＭＯシステムに関して説明する。ＯＦＤＭは、正確な周波数で離間したいくつかのサブキャリアにわたってデータを配信するスペクトル拡散技法である。離間は、受信機がサブキャリアからデータを復元することを可能にする「直交性」を与える。ＯＦＤＭシステムは、ＩＥＥＥ８０２．１１、または何らかの他のエアインターフェース規格を実装して良い。他の好適なワイヤレス技術は、例として、符号分割多元接続（ＣＤＭＡ）、時分割多元接続（ＴＤＭＡ）、または他の好適なワイヤレス技術、あるいは好適なワイヤレス技術の任意の組合せを含む。ＣＤＭＡシステムは、ＩＳ−２０００、ＩＳ−９５、ＩＳ−８５６、Ｗｉｄｅｂａｎｄ−ＣＤＭＡ（ＷＣＤＭＡ）、または何らかの他の好適なエアインターフェース規格を実装し得る。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）または何らかの他の好適なエアインターフェース規格を実装し得る。当業者なら容易に諒解するように、本開示の様々な態様は、いかなる特定のワイヤレス技術および／またはエアインターフェース規格にも限定されない。
【００３０】
アクセスポイントであるかアクセス端末であるかにかかわらず、ワイヤレスノードは、ワイヤレスノードを共有ワイヤレスチャネルにインターフェースするためのすべての物理および電気仕様を実装する物理（ＰＨＹ）レイヤと、共有ワイヤレスチャネルへのアクセスを調整する媒体アクセス制御（ＭＡＣ）レイヤと、例として、音声処理、およびマルチメディアコーデック処理、およびグラフィックス処理を含む様々なデータ処理機能を実施するアプリケーションレイヤとを含む階層構造を利用するプロトコルを用いて実装され得る。特定の適用例のために追加のプロトコルレイヤ（たとえば、ネットワークレイヤ、トランスポートレイヤ）が必要とされ得る。いくつかの構成では、ワイヤレスノードは、アクセスポイントとアクセス端末との間、または２つのアクセス端末間の中継ポイントとして働き得、したがって、アプリケーションレイヤを必要としないことがある。当業者なら、特定の適用例および全体的なシステムに課される全体的な設計制約に応じて、ワイヤレスノードに対して適切なプロトコルを容易に実装することができよう。
【００３１】
ワイヤレスノードが送信モードである場合、アプリケーションレイヤは、データを処理し、データをパケットにセグメント化し、データパケットをＭＡＣレイヤに供給する。ＭＡＣレイヤはＭＡＣパケットをアセンブルし、アプリケーションレイヤからの各データパケットはＭＡＣパケットのペイロードによって搬送される。代替的に、ＭＡＣパケットのためのペイロードは、アプリケーションレイヤからの１つまたは複数のデータパケットのフラグメントを搬送し得る。各ＭＡＣパケットは、ＭＡＣヘッダと誤り検出符号とを含む。ＭＡＣパケットは、ＭＡＣプロトコルデータユニット（ＭＰＤＵ：MAC Protocol Data Unit）と呼ばれることがあるが、フレーム、パケット、タイムスロット、セグメント、または任意の他の好適な名称で呼ばれることもある。
【００３２】
ＭＡＣは、送信することを決定すると、ＰＨＹレイヤにＭＡＣパケットのブロックを供給する。ＰＨＹレイヤは、ＭＡＣパケットのブロックをペイロードにアセンブルし、プリアンブルを追加することによって、ＰＨＹパケットをアセンブルする。後でより詳細に説明するように、ＰＨＹレイヤはまた、様々な信号処理機能（たとえば、変調、コーディング、空間処理など）を与えることを担当する。物理層コンバージェンスプロトコル（ＰＬＣＰ）と呼ばれることがあるプリアンブルは、ＰＨＹパケットの開始を検出し、送信機のノードデータクロックに同期させるために、受信ノードによって使用される。ＰＨＹパケットは、物理レイヤプロトコルデータユニット（ＰＬＰＤＵ：Physical Layer Protocol Data Unit）と呼ばれることがあるが、フレーム、パケット、タイムスロット、セグメント、または任意の他の好適な名称で呼ばれることもある。
【００３３】
ワイヤレスノードが受信モードである場合、プロセスは逆転する。すなわち、ＰＨＹレイヤは、ワイヤレスチャネルからの着信ＰＨＹパケットを検出する。プリアンブルにより、ＰＨＹレイヤがＰＨＹパケット上でロックインし、様々な信号処理機能（たとえば、復調、復号、空間処理など）を実施することが可能になる。処理されると、ＰＨＹレイヤは、ＰＨＹパケットのペイロード中で搬送されるＭＡＣパケットのブロックを復元し、ＭＡＣパケットをＭＡＣレイヤに供給する。
【００３４】
ＭＡＣレイヤは、各ＭＡＣパケットの復号に成功したかどうかを判断するために、各ＭＡＣパケットの誤り検出符号を検査する。ＭＡＣパケットの誤り検出符号が復号に成功したことを示す場合、そのＭＡＣパケットのためのペイロードがアプリケーションレイヤに供給される。ＭＡＣパケットの誤り検出符号が復号に失敗したことを示す場合、そのＭＡＣパケットは破棄される。どのデータパケットの復号に成功したかを示すブロック肯定応答（ＢＡＣＫ：Block ACKnowledgement）が送信ノードに返信され得る。送信ノードは、もしあれば、どのデータパケットが再送信を必要とするかを判断するためにＢＡＣＫを使用する。
【００３５】
図２は、ＰＨＹレイヤの信号処理機能の一例を示す概念ブロック図である。送信モードでは、ＴＸデータプロセッサ２０２は、ＭＡＣレイヤからデータを受信し、受信ノードにおいて前方誤り訂正（ＦＥＣ：Forward Error Correction）を可能にするためにデータを符号化する（たとえば、ターボコーディングする）ために使用され得る。符号化プロセスは、変調シンボルのシーケンスを生成するために、互いにブロック化され、ＴＸデータプロセッサ２０２によって信号コンスタレーションにマッピングされ得る、コードシンボルのシーケンスを生じる。
【００３６】
ＯＦＤＭを実装するワイヤレスノードでは、ＴＸデータプロセッサ２０２からの変調シンボルはＯＦＤＭ変調器２０４に供給され得る。ＯＦＤＭ変調器２０４は変調シンボルを並列ストリームに分割する。各ストリームは、次いでＯＦＤＭサブキャリアにマッピングされ、次いで逆高速フーリエ変換（ＩＦＦＴ：Inverse Fast Fourier Transform）を使用して合成されて、変調シンボルの空間処理を実施するＴＸ空間プロセッサ２０４を生成する。これは、変調シンボルをＯＦＤＭ変調器２０６に供給する前にそれらの変調シンボルを空間的にプリコードすることによって達成され得る。
【００３７】
ＯＦＤＭ変調器２０６は変調シンボルを並列ストリームに分割する。各ストリームは、次いでＯＦＤＭサブキャリアにマッピングされ、次いで逆高速フーリエ変換（ＩＦＦＴ）を使用して互いに合成されて、時間領域ＯＦＤＭストリームを生成する。それぞれの空間的にプリコードされたＯＦＤＭストリームは、次いで、それぞれのトランシーバ２０８ａ〜２０８ｎを介して異なるアンテナ２１０ａ〜２１０ｎに供給される。各トランシーバ２０８ａ〜２０８ｎは、ワイヤレスチャネルを介して送信するために、ＲＦキャリアをそれぞれのプリコードされたストリームで変調する。
【００３８】
受信モードでは、各トランシーバ２０８ａ〜２０８ｎは、それのそれぞれのアンテナ２１０ａ〜２１０ｎを通して信号を受信する。各トランシーバ２０８ａ〜２０８ｎは、ＲＦキャリア上に変調された情報を復元し、その情報をＯＦＤＭ復調器２２０に供給するために使用され得る。
【００３９】
ＲＸ空間プロセッサ２２０は、ワイヤレスノード２００に宛てられた任意の空間ストリームを復元するために、情報に対して空間処理を実施する。空間処理は、チャネル相関行列反転（ＣＣＭＩ：Channel Correlation Matrix Inversion）、最小平均２乗誤差（ＭＭＳＥ：Minimum Mean Square Error）、ソフト干渉消去（ＳＩＣ：Soft Interference Cancellation）、または何らかの他の好適な技法に従って実施され得る。複数の空間ストリームは、ワイヤレスノード２００に宛てられた場合、ＲＸ空間プロセッサ２２２によって合成され得る。
【００４０】
ＯＦＤＭを実装するワイヤレスノードでは、トランシーバ２０８ａ〜２０８ｎからのストリーム（または合成されたストリーム）はＯＦＤＭ復調器２２０に供給される。ＯＦＤＭ復調器２２０は、高速フーリエ変換（ＦＦＴ：Fast Fourier Transform）を使用してストリーム（または合成されたストリーム）を時間領域から周波数領域に変換する。周波数領域信号は、ＯＦＤＭ信号のサブキャリアごとに別々のストリームを備える。ＯＦＤＭ復調器２２０は、ストリームをＲＸ空間プロセッサ２２２に送る前に、各サブキャリア上で搬送されたデータ（すなわち、変調シンボル）を復元し、そのデータを変調シンボルのストリームに多重化する。
【００４１】
ＲＸ空間プロセッサ２２２は、ワイヤレスノード２００に宛てられた任意の空間ストリームを復元するために、情報に対して空間処理を実施する。空間処理は、チャネル相関行列反転（ＣＣＭＩ：Channel Correlation Matrix Inversion）、最小平均２乗誤差（ＭＭＳＥ：Minimum Mean Square Error）、ソフト干渉消去（ＳＩＣ：Soft Interference Cancellation）、または何らかの他の好適な技法に従って実施され得る。複数の空間ストリームは、ワイヤレスノード２００に宛てられた場合、ＲＸ空間プロセッサ２２２によって合成され得る。
【００４２】
ＲＸデータプロセッサ２２４は、変調シンボルを信号コンスタレーション中の正しいポイントに戻すために使用され得る。ワイヤレスチャネル中の雑音および他の妨害のために、変調シンボルは、元の信号コンスタレーション中のポイントの正確な位置に対応しないことがある。ＲＸデータプロセッサ２２４は、受信されたポイントと信号コンスタレーション中の有効なシンボルの位置との間の最小距離を見つけることによって、送信された可能性が最も高い変調シンボルを検出する。たとえば、ターボコードの場合、これらの軟判定を使用して、所与の変調シンボルに関連するコードシンボルの対数尤度比（ＬＬＲ：Likelihood Ratio）を計算し得る。次いで、ＲＸデータプロセッサ２２４は、コードシンボルＬＬＲのシーケンスを使用して、最初に送信されたデータをＭＡＣレイヤに供給する前にそのデータを復号する。
【００４３】
図３に、ワイヤレスノード中の処理システム３００のハードウェア構成の一例を示す。この例では、処理システム３００は、バス３０２によって概略的に表されるバスアーキテクチャを用いて実装され得る。バス３０２は、処理システム３００の特定の適用例および全体的な設計制約に応じて、任意の数の相互接続バスおよびブリッジを含んでも良い。そのバスは、プロセッサ３０４と、コンピュータ可読媒体３０６と、バスインターフェース３０８とを含む様々な回路を互いにリンクする。バスインターフェース３０８は、ネットワークアダプタ３１０を、特に、バス３０２を介して処理システム３００に接続するために使用され得る。ネットワークインターフェース３１０は、ＰＨＹレイヤの信号処理機能を実装するために使用され得る。アクセス端末１１０（図１を参照）の場合、ユーザインターフェース３１２（たとえば、キーパッド、ディスプレイ、マウス、ジョイスティックなど）もバスインターフェース３０８を介してバスに接続され得る。バス３０２は、タイミング源、周辺装置、電圧調整器、電力管理回路など、様々な他の回路をリンクさせることもできるが、これらの回路は当技術分野においてよく知られており、したがって、これ以上説明しない。
【００４４】
プロセッサ３０４は、コンピュータ可読媒体３０８に格納されたソフトウェアの実行を含む、バスおよび一般的な処理を管理することを担当する。プロセッサ３０８は、１つまたは複数の汎用および／または専用プロセッサを用いて実装され得る。例としては、マイクロプロセッサ、マイクロコントローラ、デジタル信号プロセッサ（ＤＳＰ：digital signal processor）、フィールドプログラマブルゲートアレイ（ＦＰＧＡ：field programmable gate array）、プログラマブル論理デバイス（ＰＬＤ：programmable logic device）、状態機械、ゲート論理、個別ハードウェア回路、および本開示全体にわたって説明する様々な機能を実施するように構成された他の好適なハードウェアがある。
【００４５】
処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００４６】
ソフトウェアはコンピュータ可読媒体上に常駐し得る。コンピュータ可読媒体は、例として、磁気ストレージデバイス（たとえば、ハードディスク、フロッピー（登録商標）ディスク、磁気ストリップ）、光ディスク（たとえば、コンパクトディスク（ＣＤ）、デジタル多用途ディスク（ＤＶＤ））、スマートカード、フラッシュメモリデバイス（たとえば、カード、スティック、キードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ）、レジスタ、リムーバブルディスク、搬送波、伝送線路、あるいはソフトウェアを記憶または送信するための任意の他の好適な媒体を含む。コンピュータ可読媒体は、処理システムの内部に常駐するか、処理システムの外部にあるか、または処理システムを含む複数のエンティティにわたって分散され得る。コンピュータ可読媒体はコンピュータプログラム製品において実施され得る。例として、コンピュータプログラム製品はパッケージング材料中にコンピュータ可読媒体を含んでも良い。
【００４７】
図３に示すハードウェア実装では、コンピュータ可読媒体３０６は、プロセッサ３０４とは別個の、処理システム３００の一部として示されている。しかしながら、当業者なら容易に諒解するように、コンピュータ可読媒体３０６またはその任意の部分は処理システム３００の外部にあり得る。例として、コンピュータ可読媒体３０６は、すべてバスインターフェース３０８を介してプロセッサ３０４がアクセスし得る、伝送線路、データによって変調された搬送波、および／またはワイヤレスノードとは別個のコンピュータ製品を含んでも良い。代替的または追加的に、コンピュータ可読媒体３０４またはその任意の部分は、キャッシュおよび／または汎用レジスタファイルがそうであるようにプロセッサ３０４に統合され得る。
【００４８】
図４に、複数のＳＴＡ４１０−１〜４１０−３を用いるＡＰ４０２によるＡＰ主導型アップリンクＳＤＭＡ送信の従来のシーケンスを示すタイミングダイヤグラム４００を示す。
【００４９】
１．ＡＰ４０２は、ＥＤＣＡを使用して媒体にアクセスできるようになる。複数のＳＴＡ４１０−１〜４１０−３からのＵＬトラフィックアクセスカテゴリー（ＡＣ）に応じた優先度に基づいてアクセスを与える。
【００５０】
２．ＡＰ４０２は、要求ＳＤＭＡ（ＲＳＤＭＡ：request SDMA）メッセージ４０４を発信し、複数のＳＴＡ４１０−１〜４１０−３などのクライアントにＵＬ送信要求−多元接続（ＲＴＳ−ＭＡ：request to send-Multiple Access）メッセージを送るよう要求する。ＵＬ  ＲＴＳ−ＭＡメッセージは、割当てがＡＰ４０２によって実施される、事前に割り当てられたタイムスロットと空間ストリーム（ＳＳ：spatial stream）とを使用して送信される。
【００５１】
３．複数のＳＴＡ４１０−１〜４１０−３は、それぞれのＲＴＳ−ＭＡメッセージ４１２−１〜４１２−３で応答する。各ＲＴＳ−ＭＡメッセージは、ＵＬトラフィックＡＣと、ＥＤＣＡバックオフカウンタ値と、パケットサイズとを含んでいる。
【００５２】
４．ＡＰ４０２は、随意に、ＲＴＳ−ＭＡ−ＡＣＫ（ＲＭＡ）メッセージ４０６を送り、ＲＴＳ−ＭＡメッセージ４１２−１〜４１２−３に肯定応答し、ＵＬ  ＳＤＭＡ変調および符号化方式（ＭＣＳ：modulation and coding scheme）計算のサウンディングを要求し得る。
【００５３】
５．次いで、ＡＰ４０２は、ＳＳと、ＭＣＳと、選択されたクライアントのためのＵＬ  ＳＤＭＡに必要とされる電力オフセット値とともにＲＴＳ−ＭＡ確認（ＲＭＣ：RTS-MA Confirmation）メッセージ４０８を送る。これらのクライアントは、それらのＥＤＣＡ優先度（バックオフカウンタ値およびＡＣ）を保持するように選択される。ＲＭＣメッセージ４０８はまた、ＴｘＯＰ持続時間と呼ばれる、送信動作を実施するために必要な時間期間の間媒体を予約する。ＴｘＯＰ持続時間は、選択されたクライアントによって要求される最長パケットサイズに基づくことができる。
【００５４】
６．次いで、クライアントは、ＡＰ４０２によって提案されたＳＳと、ＭＣＳと、電力オフセット値とを使用して、ＳＤＭＡデータ送信４１６−１〜４１６−３として示されるＵＬ  ＳＤＭＡパケットを送る。
【００５５】
７．ＡＰ４０２がＵＬ  ＳＤＭＡパケットを正常に受信すると、ＡＰ４０２は、クライアントからの送信に肯定応答するためにブロックＡＣＫ（ＢＡ：Block ACK）メッセージ４２０で応答する。
【００５６】
８．ＵＬ  ＳＤＭＡパケットを正常に送信した後に、クライアントは、ＥＤＣＡアクセスのためのそれらのバックオフカウンタを再初期化して良い。クライアントは、ＵＬトラフィックにＥＤＣＡアクセスを使用せずに、将来のＵＬ送信のためにスケジュールされたＲＳＤＭＡまたはＲＴＳ−ＭＡ確認メッセージに依拠することを選好し得る。
【００５７】
プロトコルは、ＡＰおよびＳＴＡがＵＬ−ＳＤＭＡ通信をセットアップするのに必要な動作を定義する。クライアント主導型送信プロセスでは、ＡＰは、ＳＴＡのバッファステータスに気づいてなく、したがって、ＡＰは、どのＳＴＡがデータを送る必要があるのかを知らない。これに対処するために、ＳＴＡは、データを送る必要があるときはいつでも、ＡＰに送信要求（ＴＸＲ：Transmit Request）メッセージをそれぞれ送り得る。ＡＰは、送信許可（ＴＸＳ：Transmit grant）メッセージを送信することによって送信を許可し得る。
【００５８】
本開示の一態様では、ＡＰは、ＴＸＲが受信されるとすぐに、ＴＸＳメッセージを送ることによって第１のＳＴＡに直ちに送信を許可できる。この「即時応答」手法では、ＡＰが第１のＳＴＡからＴＸＲを受信した後、ＡＰは直ちにＴＸＳを送る。これにより第１のＳＴＡは、データを送信することが許可されるが、ＵＬ−ＳＤＭＡプロトコルは、空間ストリームの最大数が同様の送信中で多重化された場合により効率的になるので、他のＳＴＡが媒体にアクセスすることを可能にするために、様々な機構が使用され得る。１つの手法では、ＡＰは、ＳＴＡ自体に前のＵＬ−ＳＤＭＡ送信中にそのような情報をピギーバックさせることによって、ＳＴＡが将来のアップリンクＳＤＭＡセッションのために送信すべきデータを有することを通知され得る。リソースの割振りは、スケジューリングアルゴリズムにも基づいても良く、ＡＰは、知られている分類またはＳＴＡの他のカテゴリー分類に基づいてＳＴＡを事前スケジュールすることになる。例として、ＳＴＡのうちの１つがボイスオーバーＩＰ（ＶＯＩＰ）トラフィックなどの時間敏感な（time sensitive）トラフィックを有する場合、ＡＰは、それに応じてリソースを用いてＳＴＡをスケジュールすることになる。
【００５９】
本開示の別の態様では、ＡＰは、直ちに送信を許可する前に、単に要求を肯定応答し、他の要求を受けるのを待機し得る。この「遅延応答」手法では、要求は、空間ストリームの最大数が同様の送信中で多重化されるようにいくつかのＳＴＡから収集される。さらに、肯定応答を受信したＳＴＡは、タイムアウトを待ち得る。本明細書では、即時応答手法および遅延応答手法についてさらに説明する。
【００６０】
ＳＴＡは、いつ送信を要求すべきかを決定する必要がある。本開示の一態様では、ＩＥＥＥ８０２．１１拡張分散チャネルアクセス（ＥＤＣＡ：Enhanced Distributed Channel Access）機構は、ＳＴＡによって実装される。ＥＤＣＡ機構は、現在、トラフィックタイプに基づいてアクセス優先度を与える。動作効率を最適化するために、ＳＴＡは、ＳＴＡがデータを送信するために必要とされる固定オーバーヘッドを償却するのに十分なデータを有するのでなければ、ＴＸＲを送信することを妨げられ得る。例として、各送信動作に対して、プリアンブル、延期時間などを送信するためのリソースが生じる。したがって、リソースのこの消費を保証するのに十分なデータがないのであれば、ＳＴＡは、送信を要求することを防げられる。待ち時間、バッファまたは考慮される必要がある他の同様の考慮事項があることに留意されたい。したがって、例として、しきい値は、ＳＴＡが待ち時間しきい値またはバッファしきい値に達したときにＡＰへの送信についての要求を送るように実装され得る。本開示の一態様では、しきい値は、静的であり、クラスまたはネットワークタイプ／機能に基づき得る。本開示の別の態様では、しきい値は動的であり得、ＡＰは、ネットワーク負荷に基づいてしきい値を設定することができる。本開示のさらに別の態様では、静的しきい値と動的しきい値の組合せも実装され得る。
【００６１】
上記のように、ＡＰがＴＸＳを送ることによっていつＵＬ−ＳＤＭＡ送信を開始すべきかを決定するための２つの動作モードが提供される。遅延応答プロセスを示す図５を参照すると、タイマーは、ＡＰがＳＴＡ（ＴＸＲ）から要求を受信した後に開始され得る。ＡＰは、新しい要求が入るとすぐに、ＵＬ＿ＳＤＭＡセッションを開始し得、要求される空間ストリームの数は、利用可能な空間ストリームを完全に使用するか、またはタイマーが満了する。タイマー持続時間は、クラスに基づいて異なり得る。他のＳＴＡに対する空間ストリームおよびリソースの割当てでは、ＡＰは、複数の要求を受信し、要求を正しい順序でサービスするためのポリシーを実装しながら、ＩＥＥＥ８０２．１１  ＥＤＣＡ機構によって規定されたフェアネスルールに準拠することができる。本開示の一態様では、単純な手法が、受信されたＴＸＲの順序でＳＴＡをサービスし得る。この手法は、ＳＴＡが要求を送ったときにＳＴＡが媒体にアクセスすることが可能であり、レガシーＥＤＣＡプロトコルでは、ＳＴＡがそれらのデータをその順序で送信していることを尊重する。これは、非プリエンプション手法と呼ばれることになる。
【００６２】
即時応答手法と呼ばれる第２の動作モードでは、ＡＰは、常に、アップリンク送信を許可するメッセージで要求に応答する。したがって、ＡＰは、ＴＸＲの後ごとにＴＸＳを送り得、ＴＸＳは、少なくともＴＸＳの送信者、潜在的に他のＳＴＡに対してアップリンクアクセスを許可する。詳細には、そのようなアップリンク送信は、要求側ＳＴＡのみを含んでも良く、または、複数のＳＴＡを含むＵＬ−ＳＤＭＡであり得る。ＳＳおよび他のＳＴＡのためのリソースの割当てでは、ＡＰは、ＵＬ−ＳＤＭＡ中に含まれるべき他のＳＴＡを選択する必要がある。ＵＬ−ＳＤＭＡ中にどの局を含むべきかを選択するために様々な機構が実装され得る。１つの手法は、ＡＰに、送るべきトラフィックを有する候補であるＳＴＡのセットをＵＬ−ＳＤＭＡ送信中に含めさせることである。
【００６３】
ＳＴＡを選択する様々な手法は、ＳＴＡのブラインドラウンドロビンまたはランダム選択を含むことができる。別の手法は、各ＵＬ送信の後、ＳＴＡが、それがより多くの送信すべきデータを有することを、ビットを設定することなどによってシグナリングし得ることを含んでも良く、ＡＰは、ＳＴＡを選択するときにこの情報を検討することになる。さらに別の手法は、ＡＰがＳＴＡ負荷を推論することができるＳＴＡのトラフィックの性質をＡＰにシグナリングするために、ＳＴＡによる独立したプロトコルの使用を含んでも良い。
【００６４】
本開示の一態様では、ＵＬ−ＳＤＭＡ中で許可される空間ストリームの最大数は、ＡＰにおける受信アンテナの数以下でなければならない。ＡＰは、各局によって送られることになる空間ストリームの最大数を知る必要がある。１つの手法は、各ＵＬ−ＳＤＭＡ送信上でのリソース使用状況を最適化するために、各リソース割振りの前に、ＡＰに、ＳＴＡごとにこの値を決定させることであり得る。この手法は、複雑で、追加情報を必要とし得る。別の手法は、ＳＴＡがＵＬ−ＳＤＭＡ送信で使用することになる空間ストリームの最大数に関して、ＡＰとＳＴＡとにアプリオリに同意させることである。この値は、ＡＰによって周期的に変更され得る。
【００６５】
ＳＴＡは、前に同意された最大量未満であり得る何個の空間ストリームを使用すべきかを決定し得る。ＡＰは、ＳＴＡが前に判断された空間ストリームの最大数を超えないことを保証されるだけでよい。これにより、ＳＴＡがすべての空間ストリームを使用しない場合、未使用の空間ストリームが生じ得るが、空間ストリームを動的に割り当てる必要がないように処理時間が改善し得る。
【００６６】
ＡＰがＵ−ＳＤＭＡ送信のためのＳＴＡを選択すると、ＡＰは、ＵＬ−ＳＤＭＡ送信の持続時間を決定する必要がある。本開示の一態様では、ＳＴＡは、それらの要求中に必要とされる持続時間を指定し得る。ＡＰは、スケジュールされたＳＴＡから要求される時間に応じてＵＬ−ＳＤＭＡの持続時間を設定することになる。ＳＴＡから来る要求は、１つまたは複数の継続時間フィールドを保持することになる。各継続時間フィールドは、一緒にＳＤＭＡされることになる空間ストリームの総数に応じて要求される持続時間を指定することになる。たとえば、単一の空間ストリームＳＴＡは、単独でサービスされる場合は１ｍｓを必要とし得るが、他の２つの空間ストリームとともにサービスされる場合は、ＳＴＡがより下位のＭＣＳを使用しなければならなくなるので、１．５ｍｓ以上を必要とし得る。単一の持続時間が送られる場合、要求は、持続時間に関連するＭＣＳ指示を含んでも良い。ＡＰは、ＳＴＡが送信する必要があるデータ量（ＭＣＳ×持続時間）を判断し、そのような情報をＴＸＳ中に許可される持続時間を選択するために使用することが可能になる。この機能の例は、持続時間が、スケジュールされた要求の一部である要求中に含まれている最大持続時間（すなわち、ＳＴＡ要求の最大値）に基づくことであり得る。即時応答モードの場合、持続時間は、第１のＳＴＡのＴＸＲに基づき得る。
【００６７】
変調判断の場合、前述のように、各ＳＴＡの空間ストリームの数は固定されるが、各ＳＴＡによって使用される変調を決定する必要がある。最適な方式は、ＡＰに、すべてのＳＴＡからすべてのチャネル情報を収集させ、ＳＴＡごとに共同最適変調を計算させることであり得る。これは、複雑であっても良く、追加情報を必要とする。別の手法は、各ＳＴＡに、自律変調選択を可能にするレート適応アルゴリズムを使用させることである。代替解決策は、ＡＰに、各ＳＴＡによってどのＭＣＳが使用されるべきかを決定させることであり、ＭＣＳ指示は、ＴＸＳメッセージ中に含まれる。別の代替解決策は、各ＳＴＡに、ＴＸＲ中でＭＣＳ指示を送らせ、ＡＰに、ＴＸＲ中で受信したＭＣＳに関するＭＣＳバックオフ指示をＴＸＳ中で送らせることである。
【００６８】
ＴＸＳは、ＳＴＡが送信することができるものに加えて、送信することになるすべてのＳＴＡに割り当てられている空間ストリームの数をも含んでも良い。次いで、送信しているＳＴＡは、変調を判断するためにこの情報を使用し得る（たとえば、第１のＳＴＡは、ＵＬ  ＳＤＭＡ送信のために多数の空間ストリームを割り振っているＴＸＳのためにより低いデータレートの変調を使用し得る。すなわち、第１のＳＴＡは、その送信が、アクセスが許可されている他のＳＴＡから干渉を受けることになることに気づいている）。
【００６９】
ＵＬ−ＳＤＭＡ物理レイヤ動作の場合、電力制御が必要とされ得る（たとえば、各局の送信電力を変更する必要があり得る）。１つの手法は、ＡＰに、各ＴＸＲから受信した電力レベルを記憶させ、それを送信側ＳＴＡに関連付けさせることである。ＡＰは、ＴＸＳ中に、各局が送信電力を変更することを可能にし得るＳＴＡ単位電力制御情報を含んでも良い。送信電力は、ＴＸＲを送るときに使用される電力を相対参照して変更され得る。各ＳＴＡからＴＸＲは、ＳＴＡがサポートすることができる最大電力で送られ得る。
【００７０】
ＵＬ−ＳＤＭＡセッションが行われる前に、ＡＰは、ＳＴＡが使用することになるいくつかのパラメータを指定し、各ＳＴＡにそれらを通信し得る。各ＳＴＡによって使用される空間ストリームの正確な数（Ｎｓｓ）または空間ストリームの最大数は、各ＳＴＡのＮｔｘＳＴＡ未満であり得る。
【００７１】
随意の特徴として、ＵＬ−ＳＤＭＡセッションが行われる前に、ＳＴＡは、それらのトラフィックの性質をＡＰに通信する。通信は、サービス中に容認される最大遅延または要求される平均スループットを示し得る。
【００７２】
図６に、ＡＰ即時応答手法を用いて、本開示の一態様に従って構成された局（ＳＴＡ）／クライアント主導型ＵＬ  ＳＤＭＡ方式の動作６００を示すタイミング図を示す。プロトコルの１つの手法では、６０２によって示されるように、ＡＰへ送信すべきデータを有する各ＳＴＡはＴＸＲを送り、媒体へのアクセスは、レガシーＥＤＣＡ動作によって取得される。ＥＤＣＡは、クラスごとに、異なるトラフィッククラスを与え、異なるアクセスルールを定義する。ＴＸＲは、送信されるべきデータクラスを搬送し得る。ＴＸＲは、送信に必要とされる時間であるＴｘＴｉｍｅをも含み得る。言い換えれば、ＳＴＡからの各要求は、各持続時間が、空間ストリームの総数など、可能なＳＤＭＡ送信設定を参照される、１つまたは複数の要求される持続時間の指示を含むことになる。ＳＴＡからの各要求は、要求された送信持続時間に関してＳＴＡが使用することになるＭＣＳに関するＭＣＳ指示をも含んでも良い。持続時間および要求されるＭＣＳから、ＡＰは、ＳＴＡが送る必要があるデータの量を判断し得る。
【００７３】
本開示の一態様では、ＴＸＲを送り、肯定応答を受信するＳＴＡは、いくつかの状態が満たされない限り、同じデータクラスに対して別のＴＸＲを送ることが許可されない。たとえば、ＳＴＡは、ＳＴＡがＴＸＳリスト中にそのアドレスをもつＴＸＳを受信することなくタイムアウトが満了した場合、別のＴＸＲを送り得る。別の例では、ＳＴＡは、サービス品質（ＱｏＳ）要件が追加のＴＸＲを送ることを許可した場合に別のＴＸＲを送り得る。
【００７４】
６０４によって示されるように、ＴＸＲを受信すると、ＡＰは、単なる確認応答（ＡＣＫ）で即時に応答し得る。本開示の一態様では、ＡＣＫは、ＩＥＥＥ８０２．１１規格によって定義されたＳＩＦＳ時間の後に送られ得る。ＡＰは、要求クラス、ＴｘＴｉｍｅ、要求が受信された時間、要求が受信された電力、およびＭＣＳなどの情報も保存することによって、将来の使用のために、ローカルメモリなどのロケーションに要求を記憶し得る。
【００７５】
本開示の別の態様では、ＡＰは、６０８によって示されるように、ＩＥＥＥ８０２．１１規格において定義されているＳＩＦＳ時間の直後に送信送付（ＴＸＳ：Transmit Send）メッセージで応答し得る。ＴＸＳメッセージは、後続のＵＬ−ＳＤＭＡ中でデータを送信することが許可されるＳＴＡのリストと、データ送信の最大持続時間（ＴｘＴｉｍｅ）と、受信したＴＸＲからの記憶された電力に基づいて定義され得る、各ＳＴＡの電力レベル調整と、レート適応アルゴリズムのために有用であり得る、割り振られた空間ストリームの総数とを搬送し得る。ＴＸＳメッセージはまた、パケット送信開始時間を補正するための時間オフセットならびにＳＴＡごとのＭＣＳ指示またはＳＴＡごとのＭＣＳバックオフ指示を随意に含んでも良い。
【００７６】
ＵＬ−ＳＤＭＡ中でデータを送信することが許可されるＳＴＡのリストは、利用可能な情報に応じて、いくつかの方法によって導出され得る。ＳＴＡのリストを生成することの一例では、ＳＴＡは、それぞれのＴＸＲ受信時刻の発生順に選択され得る。この例では、ＳＴＡは、各ＳＴＡのＮｓｓの和が、要求を行ったいずれかの他のＳＴＡを追加することができない数に達するまでリストに追加され得る。本明細書でさらに説明するように、ＡＰは、ＳＴＡ  ＩＤがＡＰのメモリに記憶されている場合に限り、このＳＴＡをＴＸＳにリストすべき候補として検討する。１つの手法では、所与のＴＸＳにリストされなかったＳＴＡは、後続のＴＸＳのうちの少なくとも１つにリストされることになる。別の手法では、所与のＴＸＳにリストされていたが、ＡＰが正しいパケットを受信しなかったＳＴＡは、再試行の最大数に達するか、またはタイムアウトが満了するまで、後続のＴＸＳのうちの少なくとも１つにリストされることになる。
【００７７】
ＳＴＡのリストを生成することの別の例では、ＳＴＡは、利用可能な情報に基づいて候補のリストから選択される。１つの方法は、局のブラインドラウンドロビン選択を含む。本方法では、各ＵＬ送信の後に、ＳＴＡは、それが送信すべきさらなるデータを有することをビットを用いてシグナリングする。ＡＰは、ＳＴＡを選択するときにこの情報を検討することになる。独立したプロトコルでは、ＳＴＡは、それらのトラフィックの性質についてＡＰにシグナリングし得、そこから、ＡＰは、ＳＴＡ負荷を推論し、それを考慮する選択手順を有することができる。
【００７８】
ＳＴＡのリストを生成することのさらに別の例では、ＡＰは、ＴＸＳをトリガしたＴＸＲを送ったＳＴＡを含んでも良い。これは、厳密には必要でないが、動作をレガシーＩＥＥＥ８０２．１１動作により類似したものにする。
【００７９】
上記のように、ＴＸＳは、データ送信の最大持続時間（ＴｘＴｉｍｅ）を含んでも良い。本開示の一態様では、ＴｘＴｉｍｅの持続時間は、ＳＴＡのリスト中に指定された局のＴＸＲメッセージ中に指定されたＴｘＴｉｍｅの持続時間に応じて設定される。たとえば、ＴｘＴｉｍｅは、受信したＴＸＲからの最大ＴｘＴｉｍｅとして設定され得る。別の例示的な手法は、ＴＸＴｉｍｅが最後のＴＸＲでは、レガシーＥＤＣＡプロトコルの挙動を整合するＴｘＴｉｍｅとして設定され得ることである。
【００８０】
本開示の一態様では、ＡＰは、ＳＴＡ  ＩＤがそのローカルメモリに記憶されている場合に限り、このＳＴＡをＴＸＳにリストすべき候補として検討する。したがって、本開示の一態様では、ＡＰは、いくつかのイベントの後にローカルメモリからＳＴＡを除去し得る。たとえば、ＳＴＡは、ＡＰがＳＴＡからＡＣＫを受信すると、除去され得る。ＳＴＡは、ＡＰがＳＴＡのリスト中にそのＳＴＡをリストするＴＸＳの連続する最大再送信数の後にＳＴＡから正しいパケットを受信しなかった場合も除去され得る。
【００８１】
ＴＸＳを受信すると、ＳＴＡは、そのアドレスがＴＸＳ中にリストされているかどうかを判断するために検査し得る。それがリストされていない場合、ＳＴＡは、ＳＴＡがＴＸＳから取り出すＴｘＴｉｍｅの持続時間の間送信することを許可され得ない。
【００８２】
ＳＴＡがＴＸＳ中にリストされている場合、ＳＴＡが、送信すべきデータを有し、媒体アクセスルールに従って送信することができる場合、ＳＴＡは、ＴＸＳからＴｘＴｉｍｅ持続時間を取り出し、６１０／６１２によって示されるように、ＴＸＯＰ中でＴｘＴｉｍｅ以下の持続時間を用いてデータパケットを送信することを続ける。本開示の一態様では、送信は、ＩＥＥＥ８０２．１１規格において定義されているＳＩＦＳ時間の直後に開始され得、ＳＴＡは、ＡＰと同意した空間ストリームの数（Ｎｓｓ）を使用し、使用すべき変調を単独で選択する。パケットプリアンブル中のトレーニングフィールドは、ＴＸＳ中の局の順序によって定義されたインデックスに従って変調される。随意に、ＳＴＡは、将来のアップリンク送信中で送信するために利用可能なさらなるデータを有するかどうかを示すビットを追加し得る。ビットは、ＳＴＡが明示的ＴＸＲを送ることなしに次のＵＬ−ＳＤＭＡに関して検討されることを望むことを示す。ＳＴＡが送信すべきデータを有しない場合でも、ＳＴＡは、それが送信すべきデータを有しないことをＡＰに通知するために制御メッセージを送り得る。場合によっては、ＡＰは、ＳＴＡがＴＸＳを聴取しなかったと仮定し、したがって、次のＵＬ−ＳＤＭＡ中でそれを再スケジュールし得、非効率を生じ得る。
【００８３】
すべてのＳＴＡからデータを受信すると、ＡＰは、ＩＥＥＥ８０２．１１規格において定義されているＳＩＦＳ時間の後、ブロックＡＣＫ６１４／６１６によって示されるように、データが正常に受信された各局に肯定応答を即時に送り得る。複数のＳＴＡへの肯定応答は、異なる機構に従って送られ得る。限定ではなく例として、肯定応答は、ＳＤＭＡ、ＴＤＭＡ、またはＡＭＰＤＵを使用して送られ得る。
【００８４】
図７に、ＡＰ遅延応答手法を用いて、本開示の一態様に従って構成された局（ＳＴＡ）／クライアント主導型ＵＬ  ＳＤＭＡ方式の動作７００を示すタイミング図を示す。異なる動作モードとして、ＡＰは、７０８によって示されるように、ＴＸＲへの応答でないＴＸＳメッセージを自律的に送ることを許可され得る。本開示の一態様では、ＴＸＳに続く動作は、ＴＸＳがＴＸＲへの応答であった、前に説明した動作と同じである。各データクラスは、クラスに基づいて異なり得るタイムアウト持続時間に関連付けられる。特定のクラスをもつＴＸＲを受信すると、タイマー有効期限は、タイマーがすでに動作していない場合、現在時間＋クラスに対して指定されたタイムアウトの持続時間に設定され得る。タイマーがすでに動作している場合、タイマー有効期限は、現在の有効期限とクラスに関連する現在時間＋持続時間とのうちの最小値に設定され得る。
【００８５】
さらに、本開示の一態様では、タイマーは、ＡＰが、送信側局に関連する、各ＳＴＡが１回カウントされるＮｓｓの和が追加のＳＴＡがＵＬ−ＳＤＭＡ中で許可されない数に達するように、７０２ａ〜７０２ｂによって示されるように十分なＴＸＲを受信したときはいつでも満了する。
【００８６】
本開示の一態様では、ＡＰは、再び７０８によって示されるように、タイマー満了時にＴＸＳを送る。代替動作モードとして、タイマー満了後に、ＡＰは、ＴＸＳを送る前にさらなる要求を受信するのを待ち得る。
【００８７】
７１０／７１２によって示されるように、最初に競合ＴＸＲを送ることなしにＴＸＳを通してアップリンクＴＸＯＰを受信するＳＴＡ（すなわち、プリエンプティブ／非送信請求ＴＸＯＰを受信するＳＴＡ）は、変化なしにそのバックオフを続ける（すなわち、ＴＸＲを送信するためにカウントダウンしていたバックオフは、非送信請求ＴＸＯＰによって影響を及ぼされない）。この代替形態は、ＴＸＲを送信するのを保留しているバックオフを短縮し、非送信請求ＴＸＯＰを受信した後に再始動することであるが、これはＳＴＡのアクセス優先度を低減することになる。バックオフは、ネットワーク中のレガシーＳＴＡに利益がある必要がある場合に、再始動することが可能である（すなわち、これはポリシー決定である）。
【００８８】
さらなるトラフィックが現在のアップリンクＴＸＯＰの後に保留中であることを示すために、ＳＴＡは、アップリンクＡ−ＭＰＤＵ中にＴＸＲ  ＭＰＤＵをアグリゲートし得る。ＳＴＡは、依然として、ＴＸＲを送ることによってアップリンクＴＸＯＰを許可する機会をＡＰに与えるために、別個の競合ＴＸＲを送るために競合し続ける必要がある。ＴＸＯＰをＡＰに与えるために競合ＴＸＲを送るのも併せてアップリンクＡ−ＭＰＤＵ上にＴＸＯＰ要求をピギーバックすることは、１つの手法である。
【００８９】
ＡＰが送信を受信した場合、ＡＰはブロックＡＣＫ７１４／７１６を送出することになる。詳細には、すべてのＳＴＡからデータを受信すると、ＡＰは、ＩＥＥＥ８０２．１１規格において定義されているＳＩＦＳ時間の後、データが正常に受信された各局に肯定応答を即時に送り得る。前記のように、複数のＳＴＡへの肯定応答は、異なる機構に従って送られ得る。限定ではなく例として、肯定応答は、ＳＤＭＡ、ＴＤＭＡ、またはＡＭＰＤＵを使用して送られ得る。
【００９０】
図８は、本開示の一態様による、アクセスポイント装置８００の機能を示す図である。装置８００は、複数の装置からデータを送信したいという複数の要求を受信するためのモジュール８０２と、複数の装置中の装置のセットのためのリソース割振りを判断するためのモジュール８０４であって、判断が複数の要求に基づく、判断するためのモジュール８０４と、データ送信を許可するために、リソース割振りを備えるメッセージを装置のセットに送信するためのモジュール８０６とを含む。
【００９１】
図９は、本開示の一態様による、ＳＴＡ装置９００の機能を示す図である。装置９００は、ある装置が、要求に基づいて媒体にアクセスしようとして、複数の他の装置と競合するためのモジュール９０２と、メッセージを受信するためのモジュール９０４であって、メッセージが、装置と他の装置とからの要求に基づくリソース割振りを備え、リソース割振りが、装置と他の装置のいくつかとからのデータ送信を許可する、受信するためのモジュール９０４と、メッセージに基づいて装置によってデータを送信するためのモジュール９０６とを含む。
【００９２】
本明細書で説明する処理システムまたは処理システムの任意の部分は、本明細書に記載する機能を実施するための手段を提供し得る。例として、コードを実行する処理システムは、複数の装置からデータを送信したいという複数の要求を受信するための手段と、複数の装置中の装置のセットのためのリソース割振りを判断するための手段であって、判断が複数の要求に基づく、判断するための手段と、データ送信を許可するために、リソース割振りを備えるメッセージを装置のセットに送信するための手段とを提供し得る。別の例として、コードを実行する処理システムは、要求に基づいて媒体にアクセスしようとして、複数の他の装置と競合するための手段と、メッセージを受信するための手段であって、メッセージが、装置と他の装置とからの要求に基づくリソース割振りを備え、リソース割振りが、装置と他の装置のいくつかとからのデータ送信を許可する、受信するための手段と、メッセージに基づいて装置によってデータを送信するための手段とを提供する。代替的に、コンピュータ可読媒体上のコードが、本明細書に記載する機能を実施するための手段を提供し得る。
【００９３】
ソフトウェアモジュールのコンテキストで説明するステップの特定の順序または階層は、ワイヤレスノードの例を与えるために提示されていることを理解されたい。設計の選好に基づいて、ステップの特定の順序または階層は本発明の範囲内のまま再構成され得ることを理解されたい。
【００９４】
当業者なら、特定の適用例および全体的なシステムに課せられた全体的な設計制約に応じて、本開示全体にわたって提示される記載の機能をどのようにしたら最も良く実装することができるかを認識されよう。
【００９５】
前述の説明は、いかなる当業者でも本開示の全範囲を完全に理解することができるように提供した。本明細書で開示する様々な構成への変更は当業者には容易に明らかであろう。したがって、特許請求の範囲は、本明細書で説明した本開示の様々な態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という用語は「１つまたは複数の」を指す。要素の組合せのうちの少なくとも１つ（たとえば、「Ａ、Ｂ、またはＣのうちの少なくとも１つ」）を具陳する請求項は、具陳された要素のうちの１つまたは複数（たとえば、Ａ、またはＢ、またはＣ、またはそれらの組合せ）を表す。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書で開示したいかなることも、そのような開示が特許請求の範囲に明示的に具陳されているかどうかにかかわらず、公に供するものではない。いかなるクレーム要素も、その要素が「手段」という語句を使用して明確に具陳されていない限り、または方法クレームの場合には、その要素が「ステップ」という語句を使用して具陳されていない限り、米国特許法第１１２条第６項の規定に基づいて解釈されるべきではない。
【図１】
2013511218.tif 000003
【図２】
2013511218.tif 000004
【図３】
2013511218.tif 000005
【図４】
2013511218.tif 000006
【図５】
2013511218.tif 000007
【図６】
2013511218.tif 000008
【図７】
2013511218.tif 000009
【図８】
2013511218.tif 000010
【図９】
2013511218.tif 000011
【手続補正書】
【提出日】平成24年7月24日(2012.7.24)
【手続補正１】
【補正対象書類名】特許請求の範囲
【補正対象項目名】全文
【補正方法】変更
【補正の内容】
【特許請求の範囲】
【請求項１】
複数の装置からデータを送信したいという複数の要求を受信することと、
前記複数の装置における装置のセットへのリソース割振りを判断することであって、前記判断が前記複数の要求に基づいて判断することと、
同時データ送信を許可する、前記装置のセットへの前記リソース割振りを含むメッセージを送信することと、
を備える、空間分割多元接続ワイヤレス通信のための方法。
【請求項２】
前記メッセージは、マルチキャストメッセージ、ユニキャストメッセージ、またはブロードキャストメッセージで構成する、請求項１に記載の方法。
【請求項３】
前記複数の要求が第１の要求と第２の要求とを備え、リソース割振りの前記判断は、
前記第１の要求に基づいて前記メッセージを送信する時間を、その時点、または、その後に判断することと、
前記第２の要求に基づいて前記時間を更新することと、を備える、請求項１に記載の方法。
【請求項４】
前記メッセージは、前記第２の要求の肯定応答を含む、請求項３に記載の方法。
【請求項５】
前記メッセージの前記送信は、前記時間に達した後に拡張分散チャネルアクセス（ＥＤＣＡ）競合機構に従って前記メッセージを送信することを備える、請求項４に記載の方法。
【請求項６】
前記メッセージの前記送信は、前記第２の要求の前記受信の後に前記メッセージを送信することを備え、前記第２の要求が、前記時間に達する前に受信される、請求項３に記載の方法。
【請求項７】
前記第１の要求は、前記第２の要求よりも前に受信され、前記メッセージは、前記第２の要求の前記受信の前に送信される、請求項３に記載の方法。
【請求項８】
前記メッセージの前記送信は、前記第２の要求の前記受信に基づいて、および割り振られた空間ストリームの数に基づいて前記メッセージを送信することを備える、請求項３に記載の方法。
【請求項９】
前記メッセージの前記送信は、サポートできるよりも多くの空間ストリームを必要とする要求が受信されると前記メッセージを送信することを備える、請求項１に記載の方法。
【請求項１０】
前記複数の要求の各々は、交替送信で確認される、請求項１に記載の方法。
【請求項１１】
前記複数の要求の各々は、関連するトラフィッククラスの指示を備える、請求項１に記載の方法。
【請求項１２】
リソース割振りの前記判断は、前記装置のセットにおける各装置に空間ストリームの数を割り振ることを備え、前記割り振られた空間ストリームの数が、関連するプロトコルの一部として判断される、請求項１に記載の方法。
【請求項１３】
前記リソース割振りは、前記装置のセットにおける各装置の電力レベル調整を備える、請求項１に記載の方法。
【請求項１４】
前記電力レベル調整は、前記装置のセットにおける各装置からの測定電力レベルに基づく、請求項１３に記載の方法。
【請求項１５】
前記複数の要求における各要求は、要求された送信持続時間を備え、前記リソース割振りは、複数の要求された送信持続時間に基づく送信持続時間を備える、請求項１に記載の方法。
【請求項１６】
前記複数の要求は、媒体アクセス競合プロセスの一部として受信される、請求項１に記載の方法。
【請求項１７】
前記媒体アクセス競合プロセスは、ＥＤＣＡベースアクセス競合を備える、請求項１６に記載の方法。
【請求項１８】
前記メッセージは、データ送信を許可するため、前記装置のセットにおいて少なくとも１つの装置の確認を含む、請求項１に記載の方法。
【請求項１９】
前記メッセージは、送信動作を実施するため、前記装置のセットにおいて前記少なくとも１つの装置の媒体予約を含む、請求項１に記載の方法。
【請求項２０】
前記メッセージは、前記複数の要求の各々において搬送される要求された送信持続時間に基づいて判断される最大送信持続時間を含む、請求項１に記載の方法。
【請求項２１】
前記最大送信持続時間は、前記複数の要求において前記要求された送信持続時間の最大値に基づいてさらに判断される、請求項２０に記載の方法。
【請求項２２】
利用可能な通信リソースまたはＱｏＳ要件のうちの少なくとも１つに基づいて前記装置のセット中の前記装置を選定すること、をさらに備える、請求項１に記載の方法。
【請求項２３】
前記複数の要求の受信順序に基づいて前記装置のセット中の前記装置を選定すること、をさらに備える、請求項１に記載の方法。
【請求項２４】
代替シグナリング方式を使用して通信される情報に基づいて前記装置のセット中の前記装置を選定することをさらに備える、請求項１に記載の方法。
【請求項２５】
前記代替シグナリング方式は、前記装置のセットのうちの少なくとも１つからの前に受信された代替シグナリングメッセージを備える、請求項２４に記載の方法。
【請求項２６】
前記代替シグナリングメッセージは、前記装置の関連付け、トラフィックストリームの開始の指示、または前記トラフィックストリームの必要とされるデータレートの指示のうちの少なくとも１つを備える、請求項２４に記載の方法。
【請求項２７】
ランダムまたはラウンドロビン方式のうちの少なくとも１つに基づいて装置の前記セット中の前記装置を選定すること、をさらに備える、請求項１に記載の方法。
【請求項２８】
トラフィッククラスに基づいて前記装置のセット中の前記装置を選定すること、をさらに備える、請求項１に記載の方法。
【請求項２９】
選定された装置の前記トラフィッククラスは、前の要求中のクラス以上である、請求項２８に記載の方法。
【請求項３０】
前記メッセージは、
ＭＣＳ値、
空間ストリームの数、
１つまたは複数の空間ストリームインデックス、
電力レベル調整、あるいは、
データクラス、
のうちの少なくとも１つを備える、前記複数の装置の各々のための複数のパラメータを備える、請求項１に記載の方法。
【請求項３１】
前記ＭＣＳ値は、前記複数の要求における前記要求のうちの少なくとも１つに基づく、請求項３０に記載の方法。
【請求項３２】
前記複数の要求のうちの１つの直後に前記メッセージを送信すること、をさらに備え、前記メッセージは、前記複数の要求のうちの前記１つ中のトラフィッククラス以上のトラフィッククラスを用いて、前記複数の装置中のいくつかの他の装置からの送信を可能にする、請求項１に記載の方法。
【請求項３３】
前記装置のセット中の前記装置のうちの少なくとも２つからのデータ送信を受信することをさらに備え、前記受信されたデータ送信が同時に開始された、請求項１に記載の方法。
【請求項３４】
前記装置のセット中の前記装置のうちの前記少なくとも１つにブロック確認応答メッセージを送信することをさらに備える、請求項１に記載の方法。
【請求項３５】
前記複数の要求における各要求がＭＣＳ値を備える、請求項１に記載の方法。
【請求項３６】
前記複数の要求における各要求が複数の持続時間を備え、前記持続時間の各々が前記リソース割振り内の少なくとも１つのパラメータの異なる可能な値に関連し、前記リソース割振りが、各要求の前記送信持続時間と前記リソース割振り中の少なくとも１つのパラメータの前記値とに基づく送信持続時間許可を備える、請求項１に記載の方法。
【請求項３７】
複数の装置からデータを送信したいという複数の要求を受信することと、
前記複数の装置における装置のセットへのリソース割振りを判断するのであって、前記判断が前記複数の要求に基づいて判断することと、
同時データ送信を許可する、前記装置のセットへの前記リソース割振りを含むメッセージを送信することと、
を行うように構成された処理システム
を備える、空間分割多元接続ワイヤレス通信のための装置。
【請求項３８】
前記メッセージは、マルチキャストメッセージ、ユニキャストメッセージ、またはブロードキャストメッセージで構成する、請求項３７に記載の装置。
【請求項３９】
前記複数の要求が第１の要求と第２の要求とを備え、前記処理システムは、
前記第１の要求に基づいて前記メッセージを送信する時間を、その時点、または、その後に判断することと、
前記第２の要求に基づいて前記時間を更新することと、
を行うようにさらに構成された、請求項３７に記載の装置。
【請求項４０】
前記メッセージは、前記第２の要求の肯定応答を含む、請求項３９に記載の装置。
【請求項４１】
前記処理システムは、前記時間に達した後に拡張分散チャネルアクセス（ＥＤＣＡ）競合機構に従って前記メッセージを送信するようにさらに構成された、請求項４０に記載の装置。
【請求項４２】
前記処理システムは、前記第２の要求の前記受信の後に前記メッセージを送信するようにさらに構成され、前記第２の要求が、前記時間に達する前に受信される、請求項３９に記載の装置。
【請求項４３】
前記第１の要求は、前記第２の要求よりも前に受信され、前記メッセージは、前記第２の要求の前記受信の前に送信される、請求項３９に記載の装置。
【請求項４４】
前記処理システムは、前記第２の要求の前記受信に基づいて、および割り振られた空間ストリームの数に基づいて前記メッセージを送信するようにさらに構成された、請求項３９に記載の装置。
【請求項４５】
前記処理システムは、サポートできるよりも多くの空間ストリームを必要とする要求が受信されると前記メッセージを送信するようにさらに構成された、請求項３７に記載の装置。
【請求項４６】
前記複数の要求の各々は、交替送信で確認される、請求項３７に記載の装置。
【請求項４７】
前記複数の要求の各々は、関連するトラフィッククラスの指示を備える、請求項３７に記載の装置。
【請求項４８】
前記処理システムは、前記装置のセットにおける各装置への空間ストリームの数を判断するようにさらに構成され、前記割り振られた空間ストリームの数が、関連するプロトコルの一部として判断される、請求項３７に記載の装置。
【請求項４９】
前記リソース割振りは、前記装置のセットにおける各装置の電力レベル調整を備える、請求項３７に記載の装置。
【請求項５０】
前記電力レベル調整は、前記装置の前記セットにおける各装置からの測定電力レベルに基づく、請求項４９に記載の装置。
【請求項５１】
前記複数の要求における各要求は、要求された送信持続時間を備え、前記リソース割振りは、複数の要求された送信持続時間に基づく送信持続時間を備える、請求項３７に記載の装置。
【請求項５２】
前記複数の要求は、媒体アクセス競合プロセスの一部として受信される、請求項３７に記載の装置。
【請求項５３】
前記媒体アクセス競合プロセスはＥＤＣＡベースアクセス競合を備える、請求項５２に記載の装置。
【請求項５４】
前記メッセージは、データ送信を許可するため、前記装置のセットにおいて少なくとも１つの装置の確認を備える、請求項３７に記載の装置。
【請求項５５】
前記メッセージは、送信動作を実施するため、前記装置のセットのおいて前記少なくとも１つの装置の媒体予約含む、請求項３７に記載の装置。
【請求項５６】
前記メッセージは、前記複数の要求において各々中で搬送される要求された送信持続時間に基づいて判断される最大送信持続時間を含む、請求項３７に記載の装置。
【請求項５７】
前記最大送信持続時間は、前記複数の要求において前記要求された送信持続時間の最大値に基づいてさらに判断される、請求項５６に記載の装置。
【請求項５８】
前記処理システムは、利用可能な通信リソースまたはＱｏＳ要件のうちの少なくとも１つに基づいて装置の前記セット中の前記装置を選定するようにさらに構成された、請求項３７に記載の装置。
【請求項５９】
前記処理システムは、前記複数の要求の受信順序に基づいて前記装置のセット中の前記装置を選定するようにさらに構成された、請求項３７に記載の装置。
【請求項６０】
前記処理システムは、代替シグナリング方式を使用して通信される情報に基づいて前記装置のセット中の前記装置を選定するようにさらに構成された、請求項３７に記載の装置。
【請求項６１】
前記代替シグナリング方式は、前記装置のセットのうちの少なくとも１つからの前に受信された代替シグナリングメッセージを備える、請求項６０に記載の装置。
【請求項６２】
前記代替シグナリングメッセージは、前記装置の関連付け、トラフィックストリームの開始の指示、または前記トラフィックストリームの必要とされるデータレートの指示のうちの少なくとも１つを備える、請求項６１に記載の装置。
【請求項６３】
前記処理システムは、ランダムまたはラウンドロビン方式のうちの少なくとも１つに基づいて前記装置のセット中の前記装置を選定するようにさらに構成された、請求項３７に記載の装置。
【請求項６４】
前記処理システムは、トラフィッククラスに基づいて前記装置のセット中の前記装置を選定するようにさらに構成された、請求項３７に記載の装置。
【請求項６５】
選定された装置の前記トラフィッククラスは、前の要求中のクラス以上である、請求項６４に記載の装置。
【請求項６６】
前記メッセージは、
ＭＣＳ値、
空間ストリームの数、
１つまたは複数の空間ストリームインデックス、
電力レベル調整、あるいは、
データクラス、
のうちの少なくとも１つを含む、前記複数の装置の各々のための複数のパラメータを備える、請求項３７に記載の装置。
【請求項６７】
前記ＭＣＳ値は、前記複数の要求における前記要求のうちの少なくとも１つに基づく、請求項６６に記載の装置。
【請求項６８】
前記処理システムは、前記複数の要求のうちの１つの直後に前記メッセージを送信するようにさらに構成され、前記メッセージは、前記複数の要求のうちの前記１つ中のトラフィッククラス以上のトラフィッククラスを用いて、前記複数の装置中のいくつかの他の装置からの送信を可能にする、請求項３７に記載の装置。
【請求項６９】
前記処理システムは、前記装置のセット中の前記装置のうちの少なくとも２つからのデータ送信を受信するようにさらに構成され、前記受信されたデータ送信が同時に開始された、請求項３７に記載の装置。
【請求項７０】
前記処理システムは、前記装置のセット中の前記装置のうちの前記少なくとも１つにブロック確認応答メッセージを送信するようにさらに構成された、請求項３７に記載の装置。
【請求項７１】
前記複数の要求中の各要求がＭＣＳ値を備える、請求項３７に記載の装置。
【請求項７２】
前記複数の要求における各要求が複数の持続時間を備え、前記持続時間の各々が前記リソース割振り内の少なくとも１つのパラメータの異なる可能な値に関連し、前記リソース割振りは、各要求の前記送信持続時間と前記リソース割振り中の少なくとも１つのパラメータの前記値とに基づく送信持続時間許可を備える、請求項３７に記載の装置。
【請求項７３】
複数の装置からデータを送信したいという複数の要求を受信するための手段と、
前記複数の装置における装置のセットへのリソース割振りを判断するのであって、前記判断が前記複数の要求に基づいて判断するための手段と、
同時データ送信を許可する、前記装置のセットへの前記リソース割振りを含むメッセージを送信するための手段と、
を備える、空間分割多元接続ワイヤレス通信のための装置。
【請求項７４】
前記メッセージは、マルチキャストメッセージ、ユニキャストメッセージ、またはブロードキャストメッセージで構成する、請求項７３に記載の装置。
【請求項７５】
前記複数の要求が第１の要求と第２の要求とを備え、リソース割振りの前記判断は、
前記第１の要求に基づいて前記メッセージを送信する時間を、その時点、または、その後に判断するための手段と、
前記第２の要求に基づいて前記時間を更新するための手段と、
を備える、請求項７３に記載の装置。
【請求項７６】
前記メッセージは、前記第２の要求の肯定応答を含む、請求項７５に記載の装置。
【請求項７７】
前記メッセージの前記送信手段は、前記時間に達した後に拡張分散チャネルアクセス（ＥＤＣＡ）競合機構に従って前記メッセージを送信するための手段を備える、請求項７６に記載の装置。
【請求項７８】
前記メッセージの前記送信手段は、前記第２の要求の前記受信の後に前記メッセージを送信するための手段を備え、前記第２の要求が、前記時間に達する前に受信される、請求項７５に記載の装置。
【請求項７９】
前記第１の要求は、前記第２の要求よりも前に受信され、前記メッセージは、前記第２の要求の前記受信の前に送信される、請求項７５に記載の装置。
【請求項８０】
前記メッセージの前記送信手段は、前記第２の要求の前記受信に基づいて、および空間ストリームの割り振られた数に基づいて前記メッセージを送信するための手段を備える、請求項７５に記載の装置。
【請求項８１】
前記メッセージの前記送信手段は、サポートできるよりも多くの空間ストリームを必要とする要求が受信されると前記メッセージを送信するための手段を備える、請求項７３に記載の装置。
【請求項８２】
前記複数の要求の各々は、交替送信で確認される、請求項７３に記載の装置。
【請求項８３】
前記複数の要求の各々は、関連するトラフィッククラスの指示を備える、請求項７３に記載の装置。
【請求項８４】
リソース割振りの前記判断手段は、前記装置の前記セットにおける各装置に空間ストリームの数を割り振るための手段を備え、前記空間ストリームの割り振られた数が関連付けプロトコルの一部として判断される、請求項７３に記載の装置。
【請求項８５】
前記リソース割振りは、前記装置のセットにおける各装置の電力レベル調整を備える、請求項７３に記載の装置。
【請求項８６】
前記電力レベル調整は、前記装置のセットにおける各装置からの測定電力レベルに基づく、請求項８４に記載の装置。
【請求項８７】
前記複数の要求中の各要求は、要求された送信持続時間を備え、前記リソース割振りは、複数の要求された送信持続時間に基づく送信持続時間を備える、請求項７３に記載の装置。
【請求項８８】
前記複数の要求は、媒体アクセス競合プロセスの一部として受信される、請求項７３に記載の装置。
【請求項８９】
前記媒体アクセス競合プロセスは、ＥＤＣＡベースアクセス競合を備える、請求項８８に記載の装置。
【請求項９０】
前記メッセージは、データ送信を許可するため、前記装置のセットにおいて少なくとも１つの装置の確認を備える、請求項７３に記載の装置。
【請求項９１】
前記メッセージは、送信動作を実施するため、前記装置のセットにおいて前記少なくとも１つの装置の媒体予約を含む、請求項７３に記載の装置。
【請求項９２】
前記メッセージは、前記複数の要求の各々中で搬送される要求された送信持続時間に基づいて判断される最大送信持続時間を含む、請求項７３に記載の装置。
【請求項９３】
前記最大送信持続時間は、前記複数の要求中の前記要求された送信持続時間の最大値に基づいてさらに判断される、請求項９２に記載の装置。
【請求項９４】
利用可能な通信リソースまたはＱｏＳ要件のうちの少なくとも１つに基づいて前記装置のセット中の前記装置を選定するための手段をさらに備える、請求項７３に記載の装置。
【請求項９５】
前記複数の要求の受信順序に基づいて前記装置のセット中の前記装置を選定するための手段をさらに備える、請求項７３に記載の装置。
【請求項９６】
代替シグナリング方式を使用して通信される情報に基づいて前記装置のセット中の前記装置を選定するための手段をさらに備える、請求項７３に記載の装置。
【請求項９７】
前記代替シグナリング方式は、前記装置のセットのうちの少なくとも１つからの前に受信された代替シグナリングメッセージを備える、請求項９６に記載の装置。
【請求項９８】
前記代替シグナリングメッセージは、前記装置の関連付け、トラフィックストリームの開始の指示、または前記トラフィックストリームの必要とされるデータレートの指示のうちの少なくとも１つを備える、請求項９６に記載の装置。
【請求項９９】
ランダムまたはラウンドロビン方式のうちの少なくとも１つに基づいて装置の前記セット中の前記装置を選定するための手段をさらに備える、請求項７３に記載の装置。
【請求項１００】
トラフィッククラスに基づいて前記装置のセット中の前記装置を選定するための手段をさらに備える、請求項７３に記載の装置。
【請求項１０１】
選定された装置の前記トラフィッククラスは、前の要求中のクラス以上である、請求項１００に記載の装置。
【請求項１０２】
前記メッセージは、
ＭＣＳ値、
空間ストリームの数、
１つまたは複数の空間ストリームインデックス、
電力レベル調整、あるいは、
データクラス、
のうちの少なくとも１つを含む、前記複数の装置の各々のための複数のパラメータを備える、請求項７３に記載の装置。
【請求項１０３】
前記ＭＣＳ値は、前記複数の要求における前記要求のうちの少なくとも１つに基づく、請求項１０２に記載の装置。
【請求項１０４】
前記複数の要求のうちの１つの直後に前記メッセージを送信するための手段をさらに備え、前記メッセージは、前記複数の要求のうちの前記１つ中のトラフィッククラス以上のトラフィッククラスを用いて、前記複数の装置中のいくつかの他の装置からの送信を可能にする、請求項７３に記載の装置。
【請求項１０５】
前記装置のセット中の前記装置のうちの少なくとも２つからのデータ送信を受信するための手段をさらに備え、前記受信されたデータ送信が同時に開始された、請求項７３に記載の装置。
【請求項１０６】
前記装置のセット中の前記装置のうちの前記少なくとも１つにブロック確認応答メッセージを送信するための手段をさらに備える、請求項７３に記載の装置。
【請求項１０７】
前記複数の要求における各要求がＭＣＳ値を備える、請求項７３に記載の装置。
【請求項１０８】
前記複数の要求における各要求が複数の持続時間を備え、前記持続時間の各々が前記リソース割振り内の少なくとも１つのパラメータの異なる可能な値に関連し、前記リソース割振りが、各要求の前記送信持続時間と前記リソース割振り中の少なくとも１つのパラメータの前記値とに基づく送信持続時間許可を備える、請求項７３に記載の装置。
【請求項１０９】
複数の装置からデータを送信したいという複数の要求を受信することと、
前記複数の装置における装置のセットへのリソース割振りを判断するのであって、前記判断が前記複数の要求に基づいて判断することと、
同時データ送信を許可する、前記装置のセットへの前記リソース割振りを含むメッセージを送信することと、
を行うように実行可能である命令を備える、機械可読媒体
を備える、空間分割多元接続ワイヤレス通信のためのコンピュータプログラム製品。
【請求項１１０】
１つまたは複数のアンテナと、
複数の装置からデータを送信したいという複数の要求を、前記１つまたは複数のアンテナを介して受信するように構成された受信機と、
前記複数の装置における装置のセットへのリソース割振りを判断するように構成され、前記判断が前記複数の要求に基づく、プロセッサと、
同時データ送信を許可する、前記装置のセットへの前記リソース割振りを含むメッセージを送信するように構成された送信機と、
を備える、空間分割多元接続のためのアクセスポイント。
【請求項１１１】
ある装置が、要求に基づいて媒体にアクセスしようとして、複数の他の装置と競合することと、
メッセージを受信することであって、前記メッセージが前記装置と前記他の装置とからの要求に基づくリソース割振りを備え、前記リソース割振りが前記装置と前記他の装置のいくつかとからの同時データ送信を許可し、
前記メッセージに基づいて前記装置によってデータを送信することと、
を備える、空間分割多元接続ワイヤレス通信のための方法。
【請求項１１２】
前記装置と前記他の装置とからの前記要求のうちの少なくとも２つの送信が重複する、請求項１１１に記載の方法。
【請求項１１３】
前記装置と前記他の装置のうちの少なくとも１つとからのデータの前記送信が実質的に同時に開始する、請求項１１１に記載の方法。
【請求項１１４】
前記競合は、
送信されるべき前記データの特性を判断することと、
前記特性がしきい値を満たす場合、前記媒体へのリソース割振りについての要求を送信することと、
を備える、請求項１１１に記載の方法。
【請求項１１５】
前記特性は、送信されるべき前記データの量である、請求項１１４に記載の方法。
【請求項１１６】
前記特性は、送信されるべき前記データの優先度である、請求項１１４に記載の方法。
【請求項１１７】
前記特性は、送信されるべき前記データの送信持続時間である、請求項１１４に記載の方法。
【請求項１１８】
前記データ送信は、空間ストリーム割振りと前記リソース割振りの空間ストリームインデックスとに基づいて、空間ストリームの数に関するデータを送信することを備える、請求項１１１に記載の方法。
【請求項１１９】
前記データ送信は、前記リソース割振り中に指定されたＭＣＳに基づいてデータを送信することを備える、請求項１１１に記載の方法。
【請求項１２０】
前記データ送信は、前記リソース割振り中の電力レベル調整に基づく電力レベルでデータを送信することを備える、請求項１１１に記載の方法。
【請求項１２１】
前記データ送信は、前記リソース割振り中のデータクラスに基づいて選択されたデータを送信することを備える、請求項１１１に記載の方法。
【請求項１２２】
前記データ送信は、送信されるのを待っているさらなるデータの指示を備え、前記さらなるデータが、現在送信されている前記データ以外のデータを備える、請求項１１１に記載の方法。
【請求項１２３】
前記指示は、データの量、データの持続時間、または前記データの優先度のうちの少なくとも１つを備える、請求項１２２に記載の方法。
【請求項１２４】
前記複数の要求における各要求が送信持続時間を備え、前記リソース割振りが、各要求の前記送信持続時間に基づく送信持続時間を備える、請求項１１１に記載の方法。
【請求項１２５】
前記複数の要求における各要求はそれぞれの電力レベルで送信され、前記リソース割振りは、前記それぞれの送信電力レベルに基づく電力レベル調整を備える、請求項１１１に記載の方法。
【請求項１２６】
前記データ送信は、レート適応アルゴリズムに基づく変調方式を使用してデータを送信することを備える、請求項１１１に記載の方法。
【請求項１２７】
代替通信中で送信されるべきデータの指示を送信することをさらに備える、請求項１１１に記載の方法。
【請求項１２８】
前記代替通信は、前に受信されたメッセージを備える、請求項１２７に記載の方法。
【請求項１２９】
前記指示は、送信のために利用可能なデータがないという指示を備える、請求項１２７に記載の方法。
【請求項１３０】
データの前記送信に基づいてブロック肯定応答を受信すること、をさらに備える、請求項１１１に記載の方法。
【請求項１３１】
前記メッセージは送信持続時間を備え、前記方法は、前記送信持続時間に基づく時間期間の間前記ブロック肯定応答を待つことをさらに備える、請求項１３０に記載の方法。
【請求項１３２】
前記メッセージ中の前記リソース割振りは、
ＭＣＳ値、
空間ストリームの数、
１つまたは複数の空間ストリームインデックス、
電力レベル調整、あるいは、
データクラス、
のうちの少なくとも１つを備え、前記装置と前記他の装置のうちの少なくとも１つとのための複数のパラメータを備える、請求項１１１に記載の方法。
【請求項１３３】
媒体アクセスを求める前記競合は、バックオフプロセスを備える、請求項１１１に記載の方法。
【請求項１３４】
前記要求は第１のデータクラスに関連付けられ、前記方法は、前記メッセージを受信するか、タイムアウトに達するかのうちの少なくとも一方を判断するまで、前記第１のデータクラスのための前記バックオフプロセスを停止することをさらに備え、前記バックオフプロセスが、前記要求に対する肯定応答を受信した後に中断される、請求項１１３に記載の方法。
【請求項１３５】
（ｉ）前記装置が、前記要求に対応する割振りを受信しない限り、（ｉｉ）前記第１のクラスが、周期的な送信を必要とするデータクラスに関連付けられない限り、または（ｉｉｉ）タイムアウトに達しない限り、前記装置は、前記第１のクラスの別の要求を送ることを許可されない、請求項１３４に記載の方法。
【請求項１３６】
前記装置は、前記要求の後に第２の要求を送るのが許可され、前記第２の要求が、前記第２のクラスに関連付けられた競合アルゴリズムに従って第２のクラスに関連付けられる、請求項１３４に記載の方法。
【請求項１３７】
前記装置は、前記受信したメッセージに従ったデータの送信、および前記データに対する前記肯定応答の受信後、第２の要求を送るより前に、新しいバックオフカウントを用いて前記バックオフプロセスを再開する、請求項１３４に記載の方法。
【請求項１３８】
前記新しいバックオフカウントは乱数に基づく、請求項１３７に記載の方法。
【請求項１３９】
前記新しいバックオフカウントはアクセスポイントから受信される、請求項１３７に記載の方法。
【請求項１４０】
非送信請求メッセージを受信することと、
前記バックオフプロセスの満了の前に、前記非送信請求メッセージに従ってデータを送信することと、
をさらに備える、請求項１３３に記載の方法。
【請求項１４１】
前記要求は、第１のクラスに関連付けられ、前記方法は、
前記第１のクラスのための前記バックオフプロセスを中断することと、
前記非送信請求メッセージに従ってデータを送信することと、
をさらに備える、請求項１４０に記載の方法。
【請求項１４２】
前記バックオフプロセスの前記中断は、バックオフカウントを停止することを備え、前記方法は、乱数に基づいて前記バックオフカウントをリセットすることをさらに備える、請求項１４１に記載の方法。
【請求項１４３】
前記バックオフプロセスの前記中断は、バックオフカウントを一時停止することを備え、前記方法は、前記バックオフカウントを再開することをさらに備える、請求項１４１に記載の方法。
【請求項１４４】
前記非送信請求メッセージに従ったデータの送信、および前記データに対する肯定応答の受信後、前記第１のクラスに関連する別の要求を送信するための前記バックオフプロセスを再開すること、をさらに備える、請求項１４１に記載の方法。
【請求項１４５】
空間分割多元接続ワイヤレス通信のための装置であって、
前記装置が、要求に基づいて媒体にアクセスしようとして、複数の他の装置と競合することと、
メッセージを受信することであって、前記メッセージが、前記装置と前記他の装置とからの要求に基づくリソース割振りを備え、前記リソース割振りが、前記装置と前記他の装置のいくつかとからの同時データ送信を許可し、
前記メッセージに基づいて前記装置によってデータを送信することと、
を行うように構成された処理システム、
を備える、ワイヤレス通信のための装置。
【請求項１４６】
前記装置と前記他の装置とからの前記要求のうちの少なくとも２つの送信が重複する、請求項１４５に記載の装置。
【請求項１４７】
前記装置と前記他の装置のうちの少なくとも１つとからのデータの前記送信が実質的に同時に開始する、請求項１４５に記載の装置。
【請求項１４８】
前記処理システムは、
送信されるべき前記データの特性を判断することと、
前記特性がしきい値を満たす場合、前記媒体へのリソース割振りについての要求を送信することと、
を行うようにさらに構成された、請求項１４５に記載の装置。
【請求項１４９】
前記特性は、送信されるべき前記データの量である、請求項１４８に記載の装置。
【請求項１５０】
前記特性は、送信されるべき前記データの優先度である、請求項１４８に記載の装置。
【請求項１５１】
前記特性は、送信されるべき前記データの送信持続時間である、請求項１４８に記載の装置。
【請求項１５２】
前記処理システムは、空間ストリーム割振りと前記リソース割振りの空間ストリームインデックスとに基づいて、空間ストリームの数に関するデータを送信するようにさらに構成された、請求項１４５に記載の装置。
【請求項１５３】
前記処理システムは、前記リソース割振り中に指定されたＭＣＳに基づいてデータを送信するようにさらに構成された、請求項１４５に記載の装置。
【請求項１５４】
前記処理システムは、前記リソース割振り中の電力レベル調整に基づく電力レベルでデータを送信するようにさらに構成された、請求項１４５に記載の装置。
【請求項１５５】
前記処理システムは、前記リソース割振り中のデータクラスに基づいて選択されたデータを送信するようにさらに構成された、請求項１４５に記載の装置。
【請求項１５６】
前記データ送信は、送信されるのを待っているさらなるデータの指示を有し、前記さらなるデータは、現在送信されている前記データ以外のデータを備える、請求項１４５に記載の装置。
【請求項１５７】
前記指示は、データの量、データの持続時間、または前記データの優先度のうちの少なくとも１つを備える、請求項１５６に記載の装置。
【請求項１５８】
前記複数の要求中の各要求は送信持続時間を備え、前記リソース割振りは、各要求の前記送信持続時間に基づく送信持続時間を備える、請求項１４５に記載の装置。
【請求項１５９】
前記複数の要求中の各要求はそれぞれの電力レベルで送信され、前記リソース割振りは、前記それぞれの送信電力レベルに基づく電力レベル調整を備える、請求項１４５に記載の装置。
【請求項１６０】
前記データ送信は、レート適応アルゴリズムに基づく変調方式を使用してデータを送信することを備える、請求項１４５に記載の装置。
【請求項１６１】
前記処理システムは、代替通信中で送信されるべきデータの指示を送信するようにさらに構成された、請求項１４５に記載の装置。
【請求項１６２】
前記代替通信は、前に受信されたメッセージを備える、請求項１６１に記載の装置。
【請求項１６３】
前記指示は、送信のために利用可能なデータがないという指示を備える、請求項１６１に記載の装置。
【請求項１６４】
前記処理システムは、データの前記送信に基づいてブロック肯定応答を受信するようにさらに構成された、請求項１４５に記載の装置。
【請求項１６５】
前記メッセージは送信持続時間を備え、前記処理システムは、前記送信持続時間に基づく時間期間の間前記ブロック肯定応答を待つようにさらに構成された、請求項１６４に記載の装置。
【請求項１６６】
前記メッセージ中の前記リソース割振りは、
ＭＣＳ値、
空間ストリームの数、
１つまたは複数の空間ストリームインデックス、
電力レベル調整、あるいは、
データクラス、
のうちの少なくとも１つを備え、前記装置と前記他の装置のうちの少なくとも１つとのための複数のパラメータを備える、請求項１４５に記載の装置。
【請求項１６７】
媒体アクセスを求める前記競合は、バックオフプロセスを備える、請求項１４５に記載の装置。
【請求項１６８】
前記要求は第１のデータクラスに関連付けられ、前記処理システムは、前記メッセージを受信するか、タイムアウトに達するかのうちの少なくとも一方を判断するまで、前記第１のデータクラスのための前記バックオフプロセスを停止するようにさらに構成され、前記バックオフプロセスが、前記要求に対する肯定応答を受信した後に停止される、請求項１６６に記載の装置。
【請求項１６９】
（ｉ）前記装置が、前記要求に対応する割振りを受信しない限り、（ｉｉ）前記第１のクラスが、周期的な送信を必要とするデータクラスに関連付けられない限り、または（ｉｉｉ）タイムアウトに達しない限り、前記装置は、前記第１のクラスの別の要求を送ることを許可されない、請求項１６８に記載の装置。
【請求項１７０】
前記装置は、前記要求の後に第２の要求を送るのを許可され、前記第２の要求は、前記第２のクラスに関連付けられた競合アルゴリズムに従って第２のクラスに関連付けられる、請求項１６８に記載の装置。
【請求項１７１】
前記装置は、前記受信したメッセージに従ったデータの送信、および前記データに対する前記肯定応答の受信後、第２の要求を送るより前に、新しいバックオフカウントを用いて前記バックオフプロセスを再開する、請求項１６９に記載の装置。
【請求項１７２】
前記新しいバックオフカウントは乱数に基づく、請求項１７１に記載の装置。
【請求項１７３】
メッセージは前記新しいバックオフカウントを備える、請求項１７１に記載の装置。
【請求項１７４】
前記処理システムは、
非送信請求メッセージを受信することと、
前記バックオフプロセスの満了の前に、前記非送信請求メッセージに従ってデータを送信することと、
を行うようにさらに構成された、請求項１６６に記載の装置。
【請求項１７５】
前記要求は第１のクラスに関連付けられ、前記処理システムは、
前記第１のクラスのための前記バックオフプロセスを中断することと、
前記非送信請求メッセージに従ってデータを送信することと、
を行うようにさらに構成された、請求項１７４に記載の装置。
【請求項１７６】
前記バックオフプロセスの前記中断は、バックオフカウントを停止することを備え、前記処理システムは、乱数に基づいて前記バックオフカウントをリセットするようにさらに構成された、請求項１７５に記載の装置。
【請求項１７７】
前記バックオフプロセスの前記中断は、バックオフカウントを一時停止することを備え、前記処理システムは、前記バックオフカウントを再開するようにさらに構成された、請求項１７５に記載の装置。
【請求項１７８】
前記処理システムは、前記非送信請求メッセージに従ったデータの送信、および前記データに対する肯定応答の受信後、前記第１のクラスに関連する別の要求を送信するための前記バックオフプロセスを再開するようにさらに構成された、請求項１７５に記載の装置。
【請求項１７９】
ある装置が、要求に基づいて媒体にアクセスしようとして、複数の他の装置と競合するための手段と、
メッセージを受信するための手段であって、前記メッセージが、前記装置と前記他の装置とからの要求に基づくリソース割振りを備え、前記リソース割振りが、前記装置と前記他の装置のいくつかとからの同時データ送信を許可し、
前記メッセージに基づいて前記装置によってデータを送信するための手段と、
を備える、空間分割多元接続ワイヤレス通信のための装置。
【請求項１８０】
前記装置と前記他の装置とからの前記要求のうちの少なくとも２つの送信が重複する、請求項１７９に記載の装置。
【請求項１８１】
前記装置と前記他の装置のうちの少なくとも１つとからのデータの前記送信が実質的に同時に開始する、請求項１７９に記載の装置。
【請求項１８２】
前記競合手段は、
送信されるべき前記データの特性を判断するための手段と、
前記特性がしきい値を満たす場合、前記媒体へのリソース割振りについての要求を送信するための手段と、を備える、請求項１７９に記載の装置。
【請求項１８３】
前記特性は、送信されるべき前記データの量である、請求項１８２に記載の装置。
【請求項１８４】
前記特性は、送信されるべき前記データの優先度である、請求項１８２に記載の装置。
【請求項１８５】
前記特性は、送信されるべき前記データの送信持続時間である、請求項１８２に記載の装置。
【請求項１８６】
前記データ送信手段は、空間ストリーム割振りと前記リソース割振りの空間ストリームインデックスとに基づいて、空間ストリームの数に関するデータを送信するための手段を備える、請求項１７９に記載の装置。
【請求項１８７】
前記データ送信手段は、前記リソース割振り中に指定されたＭＣＳに基づいてデータを送信するための手段を備える、請求項１７９に記載の装置。
【請求項１８８】
前記データ送信手段は、前記リソース割振り中の電力レベル調整に基づく電力レベルでデータを送信するための手段を備える、請求項１７９に記載の装置。
【請求項１８９】
前記データ送信手段は、前記リソース割振り中のデータクラスに基づいて選択されたデータを送信するための手段を備える、請求項１７９に記載の装置。
【請求項１９０】
前記データ送信は、送信されるのを待っているさらなるデータの指示を備え、前記さらなるデータが、現在送信されている前記データ以外のデータを備える、請求項１７９に記載の装置。
【請求項１９１】
前記指示は、データの量、データの持続時間、または前記データの優先度のうちの少なくとも１つを備える、請求項１９０に記載の装置。
【請求項１９２】
前記複数の要求中の各要求は送信持続時間を備え、前記リソース割振りは、各要求の前記送信持続時間に基づく送信持続時間を備える、請求項１７９に記載の装置。
【請求項１９３】
前記複数の要求中の各要求はそれぞれの電力レベルで送信され、前記リソース割振りは、前記それぞれの送信電力レベルに基づく電力レベル調整を備える、請求項１７９に記載の装置。
【請求項１９４】
前記データ送信手段は、レート適応アルゴリズムに基づく変調方式を使用してデータを送信するための手段を備える、請求項１７９に記載の装置。
【請求項１９５】
代替通信中で送信されるべきデータの指示を送信するための手段をさらに備える、請求項１７９に記載の装置。
【請求項１９６】
前記代替通信は、前に受信されたメッセージを備える、請求項１９５に記載の装置。
【請求項１９７】
前記指示は、送信のために利用可能なデータがないという指示を備える、請求項１９５に記載の装置。
【請求項１９８】
データの前記送信に基づいてブロック肯定応答を受信するための手段をさらに備える、請求項１７９に記載の装置。
【請求項１９９】
前記メッセージは送信持続時間を備え、前記送信持続時間に基づく時間期間の間前記ブロック肯定応答を待つための手段をさらに備える、請求項１９８に記載の装置。
【請求項２００】
前記メッセージ中の前記リソース割振りは、
ＭＣＳ値、
空間ストリームの数、
１つまたは複数の空間ストリームインデックス、
電力レベル調整、あるいは、
データクラス、
のうちの少なくとも１つを備え、前記装置と前記他の装置のうちの少なくとも１つとのための複数のパラメータを備える、請求項１７９に記載の装置。
【請求項２０１】
媒体アクセスを求める前記競合はバックオフプロセスを備える、請求項１７９に記載の装置。
【請求項２０２】
前記要求は第１のデータクラスに関連付けられ、前記メッセージを受信するか、タイムアウトに達するかのうちの少なくとも一方を判断するまで、前記第１のデータクラスのための前記バックオフプロセスを停止するための手段をさらに備え、前記バックオフプロセスが、前記要求に対する肯定応答を受信した後に中断される、請求項２０１に記載の装置。
【請求項２０３】
（ｉ）前記装置が、前記要求に対応する割振りを受信しない限り、（ｉｉ）前記第１のクラスが、周期的な送信を必要とするデータクラスに関連付けられない限り、または（ｉｉｉ）タイムアウトに達しない限り、前記装置は、前記第１のクラスの別の要求を送ることを許可されない、請求項２０２に記載の装置。
【請求項２０４】
前記装置は、前記要求の後に第２の要求を送るのを許可され、前記第２の要求は、前記第２のクラスに関連付けられた競合アルゴリズムに従って第２のクラスに関連付けられる、請求項２０２に記載の装置。
【請求項２０５】
前記装置は、前記受信したメッセージに従ったデータの送信、および前記データに対する前記肯定応答の受信後、第２の要求を送るより前に、新しいバックオフカウントを用いて前記バックオフプロセスを再開する、請求項２０２に記載の装置。
【請求項２０６】
前記新しいバックオフカウントは乱数に基づく、請求項２０５に記載の装置。
【請求項２０７】
前記新しいバックオフカウントはアクセスポイントから受信される、請求項２０５に記載の装置。
【請求項２０８】
非送信請求メッセージを受信するための手段と、
前記バックオフプロセスの満了の前に、前記非送信請求メッセージに従ってデータを送信するための手段と
をさらに備える、請求項２０１に記載の装置。
【請求項２０９】
前記要求は第１のクラスに関連付けられ、前記方法は、
前記第１のクラスのための前記バックオフプロセスを中断するための手段と、
前記非送信請求メッセージに従ってデータを送信するための手段と
をさらに備える、請求項２０８に記載の装置。
【請求項２１０】
前記バックオフプロセスの前記中断手段は、バックオフカウントを停止するための手段を備え、乱数に基づいて前記バックオフカウントをリセットするための手段をさらに備える、請求項２０９に記載の装置。
【請求項２１１】
前記バックオフプロセスの前記中断手段は、バックオフカウントを一時停止するための手段を備え、前記バックオフカウントを再開するための手段をさらに備える、請求項２０９に記載の装置。
【請求項２１２】
前記非送信請求メッセージに従ったデータの送信、および前記データに対する肯定応答の受信後、前記第１のクラスに関連する別の要求を送信するために、前記バックオフプロセスを再開するための手段をさらに備える、請求項２０９に記載の装置。
【請求項２１３】
ある装置が、要求に基づいて媒体にアクセスしようとして、複数の他の装置と競合することと、
メッセージを受信することであって、前記メッセージが、前記装置と前記他の装置とからの要求に基づくリソース割振りを備え、前記リソース割振りが、前記装置と前記他の装置のいくつかとからの同時データ送信を許可し、
前記メッセージに基づいて前記装置によってデータを送信することと、
を行うように実行可能である命令を備える、機械可読媒体
を備える、空間分割多元接続ワイヤレス通信のためのコンピュータプログラム製品。
【請求項２１４】
アンテナと、
ある装置が、要求に基づいて媒体にアクセスしようとして、複数の他の装置と競合するように構成された、前記アンテナに結合されたプロセッサと、
メッセージを受信するように構成され、前記メッセージが、前記装置と前記他の装置とからの要求に基づくリソース割振りを備え、前記リソース割振りが、前記装置と前記他の装置のいくつかとからの同時データ送信を許可する、受信機と、
前記メッセージに基づいて前記装置によってデータを送信するように構成された送信機と、
を備える、空間分割多元接続のための局。
【手続補正２】
【補正対象書類名】明細書
【補正対象項目名】００９５
【補正方法】変更
【補正の内容】
【００９５】
前述の説明は、いかなる当業者でも本開示の全範囲を完全に理解することができるように提供した。本明細書で開示する様々な構成への変更は当業者には容易に明らかであろう。したがって、特許請求の範囲は、本明細書で説明した本開示の様々な態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という用語は「１つまたは複数の」を指す。要素の組合せのうちの少なくとも１つ（たとえば、「Ａ、Ｂ、またはＣのうちの少なくとも１つ」）を具陳する請求項は、具陳された要素のうちの１つまたは複数（たとえば、Ａ、またはＢ、またはＣ、またはそれらの組合せ）を表す。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書で開示したいかなることも、そのような開示が特許請求の範囲に明示的に具陳されているかどうかにかかわらず、公に供するものではない。いかなるクレーム要素も、その要素が「手段」という語句を使用して明確に具陳されていない限り、または方法クレームの場合には、その要素が「ステップ」という語句を使用して具陳されていない限り、米国特許法第１１２条第６項の規定に基づいて解釈されるべきではない。
［１］
複数の装置からデータを送信したいという複数の要求を受信することと、
前記複数の装置における装置のセットへのリソース割振りを判断することであって、前記判断が前記複数の要求に基づいて判断することと、
データ送信を許可する、前記装置のセットへの前記リソース割振りを含むメッセージを送信することと、
を備える、ワイヤレス通信のための方法。
［２］
前記メッセージは、マルチキャストメッセージ、ユニキャストメッセージ、またはブロードキャストメッセージで構成する、［１］に記載の方法。
［３］
前記複数の要求が第１の要求と第２の要求とを備え、リソース割振りの前記判断は、
前記第１の要求に基づいて前記メッセージを送信する時間を、その時点、または、その後に判断することと、
前記第２の要求に基づいて前記時間を更新することと、を備える、［１］に記載の方法。
［４］
前記メッセージは、前記第２の要求の肯定応答を含む、［３］に記載の方法。
［５］
前記メッセージの前記送信は、前記時間に達した後に拡張分散チャネルアクセス（ＥＤＣＡ）競合機構に従って前記メッセージを送信することを備える、［４］に記載の方法。
［６］
前記メッセージの前記送信は、前記第２の要求の前記受信の後に前記メッセージを送信することを備え、前記第２の要求が、前記時間に達する前に受信される、［３］に記載の方法。
［７］
前記第１の要求は、前記第２の要求よりも前に受信され、前記メッセージは、前記第２の要求の前記受信の前に送信される、［３］に記載の方法。
［８］
前記メッセージの前記送信は、前記第２の要求の前記受信に基づいて、および割り振られた空間ストリームの数に基づいて前記メッセージを送信することを備える、［３］に記載の方法。
［９］
前記メッセージの前記送信は、サポートできるよりも多くの空間ストリームを必要とする要求が受信されると前記メッセージを送信することを備える、［１］に記載の方法。
［１０］
前記複数の要求の各々は、交替送信で確認される、［１］に記載の方法。
［１１］
前記複数の要求の各々は、関連するトラフィッククラスの指示を備える、［１］に記載の方法。
［１２］
リソース割振りの前記判断は、前記装置のセットにおける各装置に空間ストリームの数を割り振ることを備え、前記割り振られた空間ストリームの数が、関連するプロトコルの一部として判断される、［１］に記載の方法。
［１３］
前記リソース割振りは、前記装置のセットにおける各装置の電力レベル調整を備える、［１］に記載の方法。
［１４］
前記電力レベル調整は、前記装置のセットにおける各装置からの測定電力レベルに基づく、［１３］に記載の方法。
［１５］
前記複数の要求における各要求は、要求された送信持続時間を備え、前記リソース割振りは、複数の要求された送信持続時間に基づく送信持続時間を備える、［１］に記載の方法。
［１６］
前記複数の要求は、媒体アクセス競合プロセスの一部として受信される、［１］に記載の方法。
［１７］
前記媒体アクセス競合プロセスは、ＥＤＣＡベースアクセス競合を備える、［１６］に記載の方法。
［１８］
前記メッセージは、データ送信を許可するため、前記装置のセットにおいて少なくとも１つの装置の確認を含む、［１］に記載の方法。
［１９］
前記メッセージは、送信動作を実施するため、前記装置のセットにおいて前記少なくとも１つの装置の媒体予約を含む、［１］に記載の方法。
［２０］
前記メッセージは、前記複数の要求の各々において搬送される要求された送信持続時間に基づいて判断される最大送信持続時間を含む、［１］に記載の方法。
［２１］
前記最大送信持続時間は、前記複数の要求において前記要求された送信持続時間の最大値に基づいてさらに判断される、［２０］に記載の方法。
［２２］
利用可能な通信リソースまたはＱｏＳ要件のうちの少なくとも１つに基づいて前記装置のセット中の前記装置を選定すること、をさらに備える、［１］に記載の方法。
［２３］
前記複数の要求の受信順序に基づいて前記装置のセット中の前記装置を選定すること、をさらに備える、［１］に記載の方法。
［２４］
代替シグナリング方式を使用して通信される情報に基づいて前記装置のセット中の前記装置を選定することをさらに備える、［１］に記載の方法。
［２５］
前記代替シグナリング方式は、前記装置のセットのうちの少なくとも１つからの前に受信された代替シグナリングメッセージを備える、［２４］に記載の方法。
［２６］
前記代替シグナリングメッセージは、前記装置の関連付け、トラフィックストリームの開始の指示、または前記トラフィックストリームの必要とされるデータレートの指示のうちの少なくとも１つを備える、［２４］に記載の方法。
［２７］
ランダムまたはラウンドロビン方式のうちの少なくとも１つに基づいて装置の前記セット中の前記装置を選定すること、をさらに備える、［１］に記載の方法。
［２８］
トラフィッククラスに基づいて前記装置のセット中の前記装置を選定すること、をさらに備える、［１］に記載の方法。
［２９］
選定された装置の前記トラフィッククラスは、前の要求中のクラス以上である、［２８］に記載の方法。
［３０］
前記メッセージは、
ＭＣＳ値、
空間ストリームの数、
１つまたは複数の空間ストリームインデックス、
電力レベル調整、あるいは、
データクラス、
のうちの少なくとも１つを備える、前記複数の装置の各々のための複数のパラメータを備える、［１］に記載の方法。
［３１］
前記ＭＣＳ値は、前記複数の要求における前記要求のうちの少なくとも１つに基づく、［３０］に記載の方法。
［３２］
前記複数の要求のうちの１つの直後に前記メッセージを送信すること、をさらに備え、前記メッセージは、前記複数の要求のうちの前記１つ中のトラフィッククラス以上のトラフィッククラスを用いて、前記複数の装置中のいくつかの他の装置からの送信を可能にする、［１］に記載の方法。
［３３］
前記装置のセット中の前記装置のうちの少なくとも２つからのデータ送信を受信することをさらに備え、前記受信されたデータ送信が同時に開始された、［１］に記載の方法。
［３４］
前記装置のセット中の前記装置のうちの前記少なくとも１つにブロック確認応答メッセージを送信することをさらに備える、［１］に記載の方法。
［３５］
前記複数の要求における各要求がＭＣＳ値を備える、［１］に記載の方法。
［３６］
前記複数の要求における各要求が複数の持続時間を備え、前記持続時間の各々が前記リソース割振り内の少なくとも１つのパラメータの異なる可能な値に関連し、前記リソース割振りが、各要求の前記送信持続時間と前記リソース割振り中の少なくとも１つのパラメータの前記値とに基づく送信持続時間許可を備える、［１］に記載の方法。
［３７］
複数の装置からデータを送信したいという複数の要求を受信することと、
前記複数の装置における装置のセットへのリソース割振りを判断するのであって、前記判断が前記複数の要求に基づいて判断することと、
データ送信を許可する、前記装置のセットへの前記リソース割振りを含むメッセージを送信することと、
を行うように構成された処理システム
を備える、ワイヤレス通信のための装置。
［３８］
前記メッセージは、マルチキャストメッセージ、ユニキャストメッセージ、またはブロードキャストメッセージで構成する、［３７］に記載の装置。
［３９］
前記複数の要求が第１の要求と第２の要求とを備え、前記処理システムは、
前記第１の要求に基づいて前記メッセージを送信する時間を、その時点、または、その後に判断することと、
前記第２の要求に基づいて前記時間を更新することと、
を行うようにさらに構成された、［３７］に記載の装置。
［４０］
前記メッセージは、前記第２の要求の肯定応答を含む、［３９］に記載の装置。
［４１］
前記処理システムは、前記時間に達した後に拡張分散チャネルアクセス（ＥＤＣＡ）競合機構に従って前記メッセージを送信するようにさらに構成された、［４０］に記載の装置。
［４２］
前記処理システムは、前記第２の要求の前記受信の後に前記メッセージを送信するようにさらに構成され、前記第２の要求が、前記時間に達する前に受信される、［３９］に記載の装置。
［４３］
前記第１の要求は、前記第２の要求よりも前に受信され、前記メッセージは、前記第２の要求の前記受信の前に送信される、［３９］に記載の装置。
［４４］
前記処理システムは、前記第２の要求の前記受信に基づいて、および割り振られた空間ストリームの数に基づいて前記メッセージを送信するようにさらに構成された、［３９］に記載の装置。
［４５］
前記処理システムは、サポートできるよりも多くの空間ストリームを必要とする要求が受信されると前記メッセージを送信するようにさらに構成された、［３７］に記載の装置。
［４６］
前記複数の要求の各々は、交替送信で確認される、［３７］に記載の装置。
［４７］
前記複数の要求の各々は、関連するトラフィッククラスの指示を備える、［３７］に記載の装置。
［４８］
前記処理システムは、前記装置のセットにおける各装置への空間ストリームの数を判断するようにさらに構成され、前記割り振られた空間ストリームの数が、関連するプロトコルの一部として判断される、［３７］に記載の装置。
［４９］
前記リソース割振りは、前記装置のセットにおける各装置の電力レベル調整を備える、［３７］に記載の装置。
［５０］
前記電力レベル調整は、前記装置の前記セットにおける各装置からの測定電力レベルに基づく、［４９］に記載の装置。
［５１］
前記複数の要求における各要求は、要求された送信持続時間を備え、前記リソース割振りは、複数の要求された送信持続時間に基づく送信持続時間を備える、［３７］に記載の装置。
［５２］
前記複数の要求は、媒体アクセス競合プロセスの一部として受信される、［３７］に記載の装置。
［５３］
前記媒体アクセス競合プロセスはＥＤＣＡベースアクセス競合を備える、［５２］に記載の装置。
［５４］
前記メッセージは、データ送信を許可するため、前記装置のセットにおいて少なくとも１つの装置の確認を備える、［３７］に記載の装置。
［５５］
前記メッセージは、送信動作を実施するため、前記装置のセットのおいて前記少なくとも１つの装置の媒体予約含む、［３７］に記載の装置。
［５６］
前記メッセージは、前記複数の要求において各々中で搬送される要求された送信持続時間に基づいて判断される最大送信持続時間を含む、［３７］に記載の装置。
［５７］
前記最大送信持続時間は、前記複数の要求において前記要求された送信持続時間の最大値に基づいてさらに判断される、［５６］に記載の装置。
［５８］
前記処理システムは、利用可能な通信リソースまたはＱｏＳ要件のうちの少なくとも１つに基づいて装置の前記セット中の前記装置を選定するようにさらに構成された、［３７］に記載の装置。
［５９］
前記処理システムは、前記複数の要求の受信順序に基づいて前記装置のセット中の前記装置を選定するようにさらに構成された、［３７］に記載の装置。
［６０］
前記処理システムは、代替シグナリング方式を使用して通信される情報に基づいて前記装置のセット中の前記装置を選定するようにさらに構成された、［３７］に記載の装置。
［６１］
前記代替シグナリング方式は、前記装置のセットのうちの少なくとも１つからの前に受信された代替シグナリングメッセージを備える、［６０］に記載の装置。
［６２］
前記代替シグナリングメッセージは、前記装置の関連付け、トラフィックストリームの開始の指示、または前記トラフィックストリームの必要とされるデータレートの指示のうちの少なくとも１つを備える、［６１］に記載の装置。
［６３］
前記処理システムは、ランダムまたはラウンドロビン方式のうちの少なくとも１つに基づいて前記装置のセット中の前記装置を選定するようにさらに構成された、［３７］に記載の装置。
［６４］
前記処理システムは、トラフィッククラスに基づいて前記装置のセット中の前記装置を選定するようにさらに構成された、［３７］に記載の装置。
［６５］
選定された装置の前記トラフィッククラスは、前の要求中のクラス以上である、［６４］に記載の装置。
［６６］
前記メッセージは、
ＭＣＳ値、
空間ストリームの数、
１つまたは複数の空間ストリームインデックス、
電力レベル調整、あるいは、
データクラス、
のうちの少なくとも１つを含む、前記複数の装置の各々のための複数のパラメータを備える、［３７］に記載の装置。
［６７］
前記ＭＣＳ値は、前記複数の要求における前記要求のうちの少なくとも１つに基づく、［６６］に記載の装置。
［６８］
前記処理システムは、前記複数の要求のうちの１つの直後に前記メッセージを送信するようにさらに構成され、前記メッセージは、前記複数の要求のうちの前記１つ中のトラフィッククラス以上のトラフィッククラスを用いて、前記複数の装置中のいくつかの他の装置からの送信を可能にする、［３７］に記載の装置。
［６９］
前記処理システムは、前記装置のセット中の前記装置のうちの少なくとも２つからのデータ送信を受信するようにさらに構成され、前記受信されたデータ送信が同時に開始された、［３７］に記載の装置。
［７０］
前記処理システムは、前記装置のセット中の前記装置のうちの前記少なくとも１つにブロック確認応答メッセージを送信するようにさらに構成された、［３７］に記載の装置。
［７１］
前記複数の要求中の各要求がＭＣＳ値を備える、［３７］に記載の装置。
［７２］
前記複数の要求における各要求が複数の持続時間を備え、前記持続時間の各々が前記リソース割振り内の少なくとも１つのパラメータの異なる可能な値に関連し、前記リソース割振りは、各要求の前記送信持続時間と前記リソース割振り中の少なくとも１つのパラメータの前記値とに基づく送信持続時間許可を備える、［３７］に記載の装置。
［７３］
複数の装置からデータを送信したいという複数の要求を受信するための手段と、
前記複数の装置における装置のセットへのリソース割振りを判断するのであって、前記判断が前記複数の要求に基づいて判断するための手段と、
データ送信を許可する、前記装置のセットへの前記リソース割振りを含むメッセージを送信するための手段と、
を備える、ワイヤレス通信のための装置。
［７４］
前記メッセージは、マルチキャストメッセージ、ユニキャストメッセージ、またはブロードキャストメッセージで構成する、［７３］に記載の装置。
［７５］
前記複数の要求が第１の要求と第２の要求とを備え、リソース割振りの前記判断は、
前記第１の要求に基づいて前記メッセージを送信する時間を、その時点、または、その後に判断するための手段と、
前記第２の要求に基づいて前記時間を更新するための手段と、
を備える、［７３］に記載の装置。
［７６］
前記メッセージは、前記第２の要求の肯定応答を含む、［７５］に記載の装置。
［７７］
前記メッセージの前記送信手段は、前記時間に達した後に拡張分散チャネルアクセス（ＥＤＣＡ）競合機構に従って前記メッセージを送信するための手段を備える、［７６］に記載の装置。
［７８］
前記メッセージの前記送信手段は、前記第２の要求の前記受信の後に前記メッセージを送信するための手段を備え、前記第２の要求が、前記時間に達する前に受信される、［７５］に記載の装置。
［７９］
前記第１の要求は、前記第２の要求よりも前に受信され、前記メッセージは、前記第２の要求の前記受信の前に送信される、［７５］に記載の装置。
［８０］
前記メッセージの前記送信手段は、前記第２の要求の前記受信に基づいて、および空間ストリームの割り振られた数に基づいて前記メッセージを送信するための手段を備える、［７５］に記載の装置。
［８１］
前記メッセージの前記送信手段は、サポートできるよりも多くの空間ストリームを必要とする要求が受信されると前記メッセージを送信するための手段を備える、［７３］に記載の装置。
［８２］
前記複数の要求の各々は、交替送信で確認される、［７３］に記載の装置。
［８３］
前記複数の要求の各々は、関連するトラフィッククラスの指示を備える、［７３］に記載の装置。
［８４］
リソース割振りの前記判断手段は、前記装置の前記セットにおける各装置に空間ストリームの数を割り振るための手段を備え、前記空間ストリームの割り振られた数が関連付けプロトコルの一部として判断される、［７３］に記載の装置。
［８５］
前記リソース割振りは、前記装置のセットにおける各装置の電力レベル調整を備える、［７３］に記載の装置。
［８６］
前記電力レベル調整は、前記装置のセットにおける各装置からの測定電力レベルに基づく、［８４］に記載の装置。
［８７］
前記複数の要求中の各要求は、要求された送信持続時間を備え、前記リソース割振りは、複数の要求された送信持続時間に基づく送信持続時間を備える、［７３］に記載の装置。
［８８］
前記複数の要求は、媒体アクセス競合プロセスの一部として受信される、［７３］に記載の装置。
［８９］
前記媒体アクセス競合プロセスは、ＥＤＣＡベースアクセス競合を備える、［８８］に記載の装置。
［９０］
前記メッセージは、データ送信を許可するため、前記装置のセットにおいて少なくとも１つの装置の確認を備える、［７３］に記載の装置。
［９１］
前記メッセージは、送信動作を実施するため、前記装置のセットにおいて前記少なくとも１つの装置の媒体予約を含む、［７３］に記載の装置。
［９２］
前記メッセージは、前記複数の要求の各々中で搬送される要求された送信持続時間に基づいて判断される最大送信持続時間を含む、［７３］に記載の装置。
［９３］
前記最大送信持続時間は、前記複数の要求中の前記要求された送信持続時間の最大値に基づいてさらに判断される、［９２］に記載の装置。
［９４］
利用可能な通信リソースまたはＱｏＳ要件のうちの少なくとも１つに基づいて前記装置のセット中の前記装置を選定するための手段をさらに備える、［７３］に記載の装置。
［９５］
前記複数の要求の受信順序に基づいて前記装置のセット中の前記装置を選定するための手段をさらに備える、［７３］に記載の装置。
［９６］
代替シグナリング方式を使用して通信される情報に基づいて前記装置のセット中の前記装置を選定するための手段をさらに備える、［７３］に記載の装置。
［９７］
前記代替シグナリング方式は、前記装置のセットのうちの少なくとも１つからの前に受信された代替シグナリングメッセージを備える、［９６］に記載の装置。
［９８］
前記代替シグナリングメッセージは、前記装置の関連付け、トラフィックストリームの開始の指示、または前記トラフィックストリームの必要とされるデータレートの指示のうちの少なくとも１つを備える、［９６］に記載の装置。
［９９］
ランダムまたはラウンドロビン方式のうちの少なくとも１つに基づいて装置の前記セット中の前記装置を選定するための手段をさらに備える、［７３］に記載の装置。
［１００］
トラフィッククラスに基づいて前記装置のセット中の前記装置を選定するための手段をさらに備える、［７３］に記載の装置。
［１０１］
選定された装置の前記トラフィッククラスは、前の要求中のクラス以上である、［１００］に記載の装置。
［１０２］
前記メッセージは、
ＭＣＳ値、
空間ストリームの数、
１つまたは複数の空間ストリームインデックス、
電力レベル調整、あるいは、
データクラス、
のうちの少なくとも１つを含む、前記複数の装置の各々のための複数のパラメータを備える、［７３］に記載の装置。
［１０３］
前記ＭＣＳ値は、前記複数の要求における前記要求のうちの少なくとも１つに基づく、［１０２］に記載の装置。
［１０４］
前記複数の要求のうちの１つの直後に前記メッセージを送信するための手段をさらに備え、前記メッセージは、前記複数の要求のうちの前記１つ中のトラフィッククラス以上のトラフィッククラスを用いて、前記複数の装置中のいくつかの他の装置からの送信を可能にする、［７３］に記載の装置。
［１０５］
前記装置のセット中の前記装置のうちの少なくとも２つからのデータ送信を受信するための手段をさらに備え、前記受信されたデータ送信が同時に開始された、［７３］に記載の装置。
［１０６］
前記装置のセット中の前記装置のうちの前記少なくとも１つにブロック確認応答メッセージを送信するための手段をさらに備える、［７３］に記載の装置。
［１０７］
前記複数の要求における各要求がＭＣＳ値を備える、［７３］に記載の装置。
［１０８］
前記複数の要求における各要求が複数の持続時間を備え、前記持続時間の各々が前記リソース割振り内の少なくとも１つのパラメータの異なる可能な値に関連し、前記リソース割振りが、各要求の前記送信持続時間と前記リソース割振り中の少なくとも１つのパラメータの前記値とに基づく送信持続時間許可を備える、［７３］に記載の装置。
［１０９］
複数の装置からデータを送信したいという複数の要求を受信することと、
前記複数の装置における装置のセットへのリソース割振りを判断するのであって、前記判断が前記複数の要求に基づいて判断することと、
データ送信を許可する、前記装置のセットへの前記リソース割振りを含むメッセージを送信することと、
を行うように実行可能である命令を備える、機械可読媒体
を備える、ワイヤレス通信のためのコンピュータプログラム製品。
［１１０］
１つまたは複数のアンテナと、
複数の装置からデータを送信したいという複数の要求を、前記１つまたは複数のアンテナを介して受信するように構成された受信機と、
前記複数の装置における装置のセットへのリソース割振りを判断するように構成され、前記判断が前記複数の要求に基づく、プロセッサと、
データ送信を許可する、前記装置のセットへの前記リソース割振りを含むメッセージを送信するように構成された送信機と、
を備える、アクセスポイント。
［１１１］
ある装置が、要求に基づいて媒体にアクセスしようとして、複数の他の装置と競合することと、
メッセージを受信することであって、前記メッセージが前記装置と前記他の装置とからの要求に基づくリソース割振りを備え、前記リソース割振りが前記装置と前記他の装置のいくつかとからのデータ送信を許可し、
前記メッセージに基づいて前記装置によってデータを送信することと、
を備える、ワイヤレス通信のための方法。
［１１２］
前記装置と前記他の装置とからの前記要求のうちの少なくとも２つの送信が重複する、［１１１］に記載の方法。
［１１３］
前記装置と前記他の装置のうちの少なくとも１つとからのデータの前記送信が実質的に同時に開始する、［１１１］に記載の方法。
［１１４］
前記競合は、
送信されるべき前記データの特性を判断することと、
前記特性がしきい値を満たす場合、前記媒体へのリソース割振りについての要求を送信することと、
を備える、［１１１］に記載の方法。
［１１５］
前記特性は、送信されるべき前記データの量である、［１１４］に記載の方法。
［１１６］
前記特性は、送信されるべき前記データの優先度である、［１１４］に記載の方法。
［１１７］
前記特性は、送信されるべき前記データの送信持続時間である、［１１４］に記載の方法。
［１１８］
前記データ送信は、空間ストリーム割振りと前記リソース割振りの空間ストリームインデックスとに基づいて、空間ストリームの数に関するデータを送信することを備える、［１１１］に記載の方法。
［１１９］
前記データ送信は、前記リソース割振り中に指定されたＭＣＳに基づいてデータを送信することを備える、［１１１］に記載の方法。
［１２０］
前記データ送信は、前記リソース割振り中の電力レベル調整に基づく電力レベルでデータを送信することを備える、［１１１］に記載の方法。
［１２１］
前記データ送信は、前記リソース割振り中のデータクラスに基づいて選択されたデータを送信することを備える、［１１１］に記載の方法。
［１２２］
前記データ送信は、送信されるのを待っているさらなるデータの指示を備え、前記さらなるデータが、現在送信されている前記データ以外のデータを備える、［１１１］に記載の方法。
［１２３］
前記指示は、データの量、データの持続時間、または前記データの優先度のうちの少なくとも１つを備える、［１２２］に記載の方法。
［１２４］
前記複数の要求における各要求が送信持続時間を備え、前記リソース割振りが、各要求の前記送信持続時間に基づく送信持続時間を備える、［１１１］に記載の方法。
［１２５］
前記複数の要求における各要求はそれぞれの電力レベルで送信され、前記リソース割振りは、前記それぞれの送信電力レベルに基づく電力レベル調整を備える、［１１１］に記載の方法。
［１２６］
前記データ送信は、レート適応アルゴリズムに基づく変調方式を使用してデータを送信することを備える、［１１１］に記載の方法。
［１２７］
代替通信中で送信されるべきデータの指示を送信することをさらに備える、［１１１］に記載の方法。
［１２８］
前記代替通信は、前に受信されたメッセージを備える、［１２７］に記載の方法。
［１２９］
前記指示は、送信のために利用可能なデータがないという指示を備える、［１２７］に記載の方法。
［１３０］
データの前記送信に基づいてブロック肯定応答を受信すること、をさらに備える、［１１１］に記載の方法。
［１３１］
前記メッセージは送信持続時間を備え、前記方法は、前記送信持続時間に基づく時間期間の間前記ブロック肯定応答を待つことをさらに備える、［１３０］に記載の方法。
［１３２］
前記メッセージ中の前記リソース割振りは、
ＭＣＳ値、
空間ストリームの数、
１つまたは複数の空間ストリームインデックス、
電力レベル調整、あるいは、
データクラス、
のうちの少なくとも１つを備え、前記装置と前記他の装置のうちの少なくとも１つとのための複数のパラメータを備える、［１１１］に記載の方法。
［１３３］
媒体アクセスを求める前記競合は、バックオフプロセスを備える、［１１１］に記載の方法。
［１３４］
前記要求は第１のデータクラスに関連付けられ、前記方法は、前記メッセージを受信するか、タイムアウトに達するかのうちの少なくとも一方を判断するまで、前記第１のデータクラスのための前記バックオフプロセスを停止することをさらに備え、前記バックオフプロセスが、前記要求に対する肯定応答を受信した後に中断される、［１１３］に記載の方法。
［１３５］
（ｉ）前記装置が、前記要求に対応する割振りを受信しない限り、（ｉｉ）前記第１のクラスが、周期的な送信を必要とするデータクラスに関連付けられない限り、または（ｉｉｉ）タイムアウトに達しない限り、前記装置は、前記第１のクラスの別の要求を送ることを許可されない、［１３４］に記載の方法。
［１３６］
前記装置は、前記要求の後に第２の要求を送るのが許可され、前記第２の要求が、前記第２のクラスに関連付けられた競合アルゴリズムに従って第２のクラスに関連付けられる、［１３４］に記載の方法。
［１３７］
前記装置は、前記受信したメッセージに従ったデータの送信、および前記データに対する前記肯定応答の受信後、第２の要求を送るより前に、新しいバックオフカウントを用いて前記バックオフプロセスを再開する、［１３４］に記載の方法。
［１３８］
前記新しいバックオフカウントは乱数に基づく、［１３７］に記載の方法。
［１３９］
前記新しいバックオフカウントはアクセスポイントから受信される、［１３７］に記載の方法。
［１４０］
非送信請求メッセージを受信することと、
前記バックオフプロセスの満了の前に、前記非送信請求メッセージに従ってデータを送信することと、
をさらに備える、［１３３］に記載の方法。
［１４１］
前記要求は、第１のクラスに関連付けられ、前記方法は、
前記第１のクラスのための前記バックオフプロセスを中断することと、
前記非送信請求メッセージに従ってデータを送信することと、
をさらに備える、［１４０］に記載の方法。
［１４２］
前記バックオフプロセスの前記中断は、バックオフカウントを停止することを備え、前記方法は、乱数に基づいて前記バックオフカウントをリセットすることをさらに備える、［１４１］に記載の方法。
［１４３］
前記バックオフプロセスの前記中断は、バックオフカウントを一時停止することを備え、前記方法は、前記バックオフカウントを再開することをさらに備える、［１４１］に記載の方法。
［１４４］
前記非送信請求メッセージに従ったデータの送信、および前記データに対する肯定応答の受信後、前記第１のクラスに関連する別の要求を送信するための前記バックオフプロセスを再開すること、をさらに備える、［１４１］に記載の方法。
［１４５］
ワイヤレス通信のための装置であって、
前記装置が、要求に基づいて媒体にアクセスしようとして、複数の他の装置と競合することと、
メッセージを受信することであって、前記メッセージが、前記装置と前記他の装置とからの要求に基づくリソース割振りを備え、前記リソース割振りが、前記装置と前記他の装置のいくつかとからのデータ送信を許可し、
前記メッセージに基づいて前記装置によってデータを送信することと、
を行うように構成された処理システム、
を備える、ワイヤレス通信のための装置。
［１４６］
前記装置と前記他の装置とからの前記要求のうちの少なくとも２つの送信が重複する、［１４５］に記載の装置。
［１４７］
前記装置と前記他の装置のうちの少なくとも１つとからのデータの前記送信が実質的に同時に開始する、［１４５］に記載の装置。
［１４８］
前記処理システムは、
送信されるべき前記データの特性を判断することと、
前記特性がしきい値を満たす場合、前記媒体へのリソース割振りについての要求を送信することと、
を行うようにさらに構成された、［１４５］に記載の装置。
［１４９］
前記特性は、送信されるべき前記データの量である、［１４８］に記載の装置。
［１５０］
前記特性は、送信されるべき前記データの優先度である、［１４８］に記載の装置。
［１５１］
前記特性は、送信されるべき前記データの送信持続時間である、［１４８］に記載の装置。
［１５２］
前記処理システムは、空間ストリーム割振りと前記リソース割振りの空間ストリームインデックスとに基づいて、空間ストリームの数に関するデータを送信するようにさらに構成された、［１４５］に記載の装置。
［１５３］
前記処理システムは、前記リソース割振り中に指定されたＭＣＳに基づいてデータを送信するようにさらに構成された、［１４５］に記載の装置。
［１５４］
前記処理システムは、前記リソース割振り中の電力レベル調整に基づく電力レベルでデータを送信するようにさらに構成された、［１４５］に記載の装置。
［１５５］
前記処理システムは、前記リソース割振り中のデータクラスに基づいて選択されたデータを送信するようにさらに構成された、［１４５］に記載の装置。
［１５６］
前記データ送信は、送信されるのを待っているさらなるデータの指示を有し、前記さらなるデータは、現在送信されている前記データ以外のデータを備える、［１４５］に記載の装置。
［１５７］
前記指示は、データの量、データの持続時間、または前記データの優先度のうちの少なくとも１つを備える、［１５６］に記載の装置。
［１５８］
前記複数の要求中の各要求は送信持続時間を備え、前記リソース割振りは、各要求の前記送信持続時間に基づく送信持続時間を備える、［１４５］に記載の装置。
［１５９］
前記複数の要求中の各要求はそれぞれの電力レベルで送信され、前記リソース割振りは、前記それぞれの送信電力レベルに基づく電力レベル調整を備える、［１４５］に記載の装置。
［１６０］
前記データ送信は、レート適応アルゴリズムに基づく変調方式を使用してデータを送信することを備える、［１４５］に記載の装置。
［１６１］
前記処理システムは、代替通信中で送信されるべきデータの指示を送信するようにさらに構成された、［１４５］に記載の装置。
［１６２］
前記代替通信は、前に受信されたメッセージを備える、［１６１］に記載の装置。
［１６３］
前記指示は、送信のために利用可能なデータがないという指示を備える、［１６１］に記載の装置。
［１６４］
前記処理システムは、データの前記送信に基づいてブロック肯定応答を受信するようにさらに構成された、［１４５］に記載の装置。
［１６５］
前記メッセージは送信持続時間を備え、前記処理システムは、、前記送信持続時間に基づく時間期間の間前記ブロック肯定応答を待つようにさらに構成された、［１６４］に記載の装置。
［１６６］
前記メッセージ中の前記リソース割振りは、
ＭＣＳ値、
空間ストリームの数、
１つまたは複数の空間ストリームインデックス、
電力レベル調整、あるいは、
データクラス、
のうちの少なくとも１つを備え、前記装置と前記他の装置のうちの少なくとも１つとのための複数のパラメータを備える、［１４５］に記載の装置。
［１６７］
媒体アクセスを求める前記競合は、バックオフプロセスを備える、［１４５］に記載の装置。
［１６８］
前記要求は第１のデータクラスに関連付けられ、前記処理システムは、前記メッセージを受信するか、タイムアウトに達するかのうちの少なくとも一方を判断するまで、前記第１のデータクラスのための前記バックオフプロセスを停止するようにさらに構成され、前記バックオフプロセスが、前記要求に対する肯定応答を受信した後に停止される、［１６６］に記載の装置。
［１６９］
（ｉ）前記装置が、前記要求に対応する割振りを受信しない限り、（ｉｉ）前記第１のクラスが、周期的な送信を必要とするデータクラスに関連付けられない限り、または（ｉｉｉ）タイムアウトに達しない限り、前記装置は、前記第１のクラスの別の要求を送ることを許可されない、［１６８］に記載の装置。
［１７０］
前記装置は、前記要求の後に第２の要求を送るのを許可され、前記第２の要求は、前記第２のクラスに関連付けられた競合アルゴリズムに従って第２のクラスに関連付けられる、［１６８］に記載の装置。
［１７１］
前記装置は、前記受信したメッセージに従ったデータの送信、および前記データに対する前記肯定応答の受信後、第２の要求を送るより前に、新しいバックオフカウントを用いて前記バックオフプロセスを再開する、［１６９］に記載の装置。
［１７２］
前記新しいバックオフカウントは乱数に基づく、［１７１］に記載の装置。
［１７３］
メッセージは前記新しいバックオフカウントを備える、［１７１］に記載の装置。
［１７４］
前記処理システムは、
非送信請求メッセージを受信することと、
前記バックオフプロセスの満了の前に、前記非送信請求メッセージに従ってデータを送信することと、
を行うようにさらに構成された、［１６６］に記載の装置。
［１７５］
前記要求は第１のクラスに関連付けられ、前記処理システムは、
前記第１のクラスのための前記バックオフプロセスを中断することと、
前記非送信請求メッセージに従ってデータを送信することと、
を行うようにさらに構成された、［１７４］に記載の装置。
［１７６］
前記バックオフプロセスの前記中断は、バックオフカウントを停止することを備え、前記処理システムは、乱数に基づいて前記バックオフカウントをリセットするようにさらに構成された、［１７５］に記載の装置。
［１７７］
前記バックオフプロセスの前記中断は、バックオフカウントを一時停止することを備え、前記処理システムは、前記バックオフカウントを再開するようにさらに構成された、［１７５］に記載の装置。
［１７８］
前記処理システムは、前記非送信請求メッセージに従ったデータの送信、および前記データに対する肯定応答の受信後、前記第１のクラスに関連する別の要求を送信するための前記バックオフプロセスを再開するようにさらに構成された、［１７５］に記載の装置。
［１７９］
ある装置が、要求に基づいて媒体にアクセスしようとして、複数の他の装置と競合するための手段と、
メッセージを受信するための手段であって、前記メッセージが、前記装置と前記他の装置とからの要求に基づくリソース割振りを備え、前記リソース割振りが、前記装置と前記他の装置のいくつかとからのデータ送信を許可し、
前記メッセージに基づいて前記装置によってデータを送信するための手段と、
を備える、ワイヤレス通信のための装置。
［１８０］
前記装置と前記他の装置とからの前記要求のうちの少なくとも２つの送信が重複する、［１７９］に記載の装置。
［１８１］
前記装置と前記他の装置のうちの少なくとも１つとからのデータの前記送信が実質的に同時に開始する、［１７９］に記載の装置。
［１８２］
前記競合手段は、
送信されるべき前記データの特性を判断するための手段と、
前記特性がしきい値を満たす場合、前記媒体へのリソース割振りについての要求を送信するための手段と、を備える、［１７９］に記載の装置。
［１８３］
前記特性は、送信されるべき前記データの量である、［１８２］に記載の装置。
［１８４］
前記特性は、送信されるべき前記データの優先度である、［１８２］に記載の装置。
［１８５］
前記特性は、送信されるべき前記データの送信持続時間である、［１８２］に記載の装置。
［１８６］
前記データ送信手段は、空間ストリーム割振りと前記リソース割振りの空間ストリームインデックスとに基づいて、空間ストリームの数に関するデータを送信するための手段を備える、［１７９］に記載の装置。
［１８７］
前記データ送信手段は、前記リソース割振り中に指定されたＭＣＳに基づいてデータを送信するための手段を備える、［１７９］に記載の装置。
［１８８］
前記データ送信手段は、前記リソース割振り中の電力レベル調整に基づく電力レベルでデータを送信するための手段を備える、［１７９］に記載の装置。
［１８９］
前記データ送信手段は、前記リソース割振り中のデータクラスに基づいて選択されたデータを送信するための手段を備える、［１７９］に記載の装置。
［１９０］
前記データ送信は、送信されるのを待っているさらなるデータの指示を備え、前記さらなるデータが、現在送信されている前記データ以外のデータを備える、［１７９］に記載の装置。
［１９１］
前記指示は、データの量、データの持続時間、または前記データの優先度のうちの少なくとも１つを備える、［１９０］に記載の装置。
［１９２］
前記複数の要求中の各要求は送信持続時間を備え、前記リソース割振りは、各要求の前記送信持続時間に基づく送信持続時間を備える、［１７９］に記載の装置。
［１９３］
前記複数の要求中の各要求はそれぞれの電力レベルで送信され、前記リソース割振りは、前記それぞれの送信電力レベルに基づく電力レベル調整を備える、［１７９］に記載の装置。
［１９４］
前記データ送信手段は、レート適応アルゴリズムに基づく変調方式を使用してデータを送信するための手段を備える、［１７９］に記載の装置。
［１９５］
代替通信中で送信されるべきデータの指示を送信するための手段をさらに備える、［１７９］に記載の装置。
［１９６］
前記代替通信は、前に受信されたメッセージを備える、［１９５］に記載の装置。
［１９７］
前記指示は、送信のために利用可能なデータがないという指示を備える、［１９５］に記載の装置。
［１９８］
データの前記送信に基づいてブロック肯定応答を受信するための手段をさらに備える、［１７９］に記載の装置。
［１９９］
前記メッセージは送信持続時間を備え、前記送信持続時間に基づく時間期間の間前記ブロック肯定応答を待つための手段をさらに備える、［１９８］に記載の装置。
［２００］
前記メッセージ中の前記リソース割振りは、
ＭＣＳ値、
空間ストリームの数、
１つまたは複数の空間ストリームインデックス、
電力レベル調整、あるいは、
データクラス、
のうちの少なくとも１つを備え、前記装置と前記他の装置のうちの少なくとも１つとのための複数のパラメータを備える、［１７９］に記載の装置。
［２０１］
媒体アクセスを求める前記競合はバックオフプロセスを備える、［１７９］に記載の装置。
［２０２］
前記要求は第１のデータクラスに関連付けられ、前記メッセージを受信するか、タイムアウトに達するかのうちの少なくとも一方を判断するまで、前記第１のデータクラスのための前記バックオフプロセスを停止するための手段をさらに備え、前記バックオフプロセスが、前記要求に対する肯定応答を受信した後に中断される、［２０１］に記載の装置。
［２０３］
（ｉ）前記装置が、前記要求に対応する割振りを受信しない限り、（ｉｉ）前記第１のクラスが、周期的な送信を必要とするデータクラスに関連付けられない限り、または（ｉｉｉ）タイムアウトに達しない限り、前記装置は、前記第１のクラスの別の要求を送ることを許可されない、［２０２］に記載の装置。
［２０４］
前記装置は、前記要求の後に第２の要求を送るのを許可され、前記第２の要求は、前記第２のクラスに関連付けられた競合アルゴリズムに従って第２のクラスに関連付けられる、［２０２］に記載の装置。
［２０５］
前記装置は、前記受信したメッセージに従ったデータの送信、および前記データに対する前記肯定応答の受信後、第２の要求を送るより前に、新しいバックオフカウントを用いて前記バックオフプロセスを再開する、［２０２］に記載の装置。
［２０６］
前記新しいバックオフカウントは乱数に基づく、［２０５］に記載の装置。
［２０７］
前記新しいバックオフカウントはアクセスポイントから受信される、［２０５］に記載の装置。
［２０８］
非送信請求メッセージを受信するための手段と、
前記バックオフプロセスの満了の前に、前記非送信請求メッセージに従ってデータを送信するための手段と
をさらに備える、［２０１］に記載の装置。
［２０９］
前記要求は第１のクラスに関連付けられ、前記方法は、
前記第１のクラスのための前記バックオフプロセスを中断するための手段と、
前記非送信請求メッセージに従ってデータを送信するための手段と
をさらに備える、［２０８］に記載の装置。
［２１０］
前記バックオフプロセスの前記中断手段は、バックオフカウントを停止するための手段を備え、乱数に基づいて前記バックオフカウントをリセットするための手段をさらに備える、［２０９］に記載の装置。
［２１１］
前記バックオフプロセスの前記中断手段は、バックオフカウントを一時停止するための手段を備え、前記バックオフカウントを再開するための手段をさらに備える、［２０９］に記載の装置。
［２１２］
前記非送信請求メッセージに従ったデータの送信、および前記データに対する肯定応答の受信後、前記第１のクラスに関連する別の要求を送信するために、前記バックオフプロセスを再開するための手段をさらに備える、［２０９］に記載の装置。
［２１３］
ある装置が、要求に基づいて媒体にアクセスしようとして、複数の他の装置と競合することと、
メッセージを受信することであって、前記メッセージが、前記装置と前記他の装置とからの要求に基づくリソース割振りを備え、前記リソース割振りが、前記装置と前記他の装置のいくつかとからのデータ送信を許可し、
前記メッセージに基づいて前記装置によってデータを送信することと、
を行うように実行可能である命令を備える、機械可読媒体
を備える、ワイヤレス通信のためのコンピュータプログラム製品。
［２１４］
アンテナと、
ある装置が、要求に基づいて媒体にアクセスしようとして、複数の他の装置と競合するように構成された、前記アンテナに結合されたプロセッサと、
メッセージを受信するように構成され、前記メッセージが、前記装置と前記他の装置とからの要求に基づくリソース割振りを備え、前記リソース割振りが、前記装置と前記他の装置のいくつかとからのデータ送信を許可する、受信機と、
前記メッセージに基づいて前記装置によってデータを送信するように構成された送信機と、
を備える、局。
【国際調査報告】
2013511218.tif 000012
2013511218.tif 000013
2013511218.tif 000014
2013511218.tif 000015
2013511218.tif 000016